(57)【特許請求の範囲】
【請求項１】
表示画面に情報を表示する表示部と、
前記表示画面に対する押圧を検出する押圧検出部と、
前記表示画面に表示される前記情報の表示範囲を変更する制御を行う表示制御部と、
を備え、
前記表示制御部は、前記押圧検出部により所定の大きさ以上の第１押圧が検出された後に、前記第１押圧が保持されていない状態において、前記表示範囲を変更する、
携帯端末装置。
【請求項２】
請求項１記載の携帯端末装置において、
前記携帯端末装置の傾きの角度を検出する傾き角度検出部を備え、
前記表示制御部は、前記第１押圧が検出された時に前記傾き角度検出部により検出された前記傾きの第１角度を基準角度として設定し、前記第１押圧が保持されていない状態において、前記傾き角度検出部により検出された前記傾きの第２角度と前記基準角度との差分の大きさに応じて、前記表示範囲を変更する、
携帯端末装置。
【請求項３】
請求項１記載の携帯端末装置において、
前記表示画面に対するタッチ位置座標を検出するタッチ検出部を備え、
前記表示制御部は、前記第１押圧が検出された時に前記タッチ検出部により検出されたタッチ位置座標の第１位置を基準位置として、方向選択アイコンを表示し、前記第１押圧が保持されていない状態において、前記方向選択アイコン上のタッチ位置に応じて選択される方向に、前記表示範囲を変更する、
携帯端末装置。
【請求項４】
請求項１記載の携帯端末装置において、
前記表示画面に対するタッチ位置座標を検出するタッチ検出部を備え、
前記表示制御部は、前記第１押圧が検出された時に前記タッチ検出部により検出されたタッチ位置座標の第１位置を基準位置として、前記第１押圧が保持されていない状態において、前記タッチ検出部により検出されたタッチ位置座標の第２位置と前記第１位置との位置関係に応じて決まる方向に、前記表示範囲を変更する、
携帯端末装置。
【請求項５】
請求項１記載の携帯端末装置において、
前記表示制御部は、前記第１押圧の検出よりも後に、前記押圧検出部により所定の大きさ以上の第２押圧が検出された場合、前記表示範囲の変更を終了する、
携帯端末装置。
【請求項６】
請求項１記載の携帯端末装置において、
前記表示画面に対するタッチ位置座標を検出するタッチ検出部を備え、
前記表示制御部は、前記第１押圧が保持されていない状態、かつ、前記タッチ検出部により検出されたタッチ有り状態が維持されている状態において、前記表示範囲を変更し、前記タッチ検出部によりタッチ無し状態への変化が検出された場合、前記表示範囲の変更を終了する、
携帯端末装置。
【請求項７】
請求項１記載の携帯端末装置において、
前記表示画面に対するタッチ位置座標を検出するタッチ検出部を備え、
前記表示制御部は、前記第１押圧の検出よりも後に、前記タッチ検出部により前記表示画面内のオブジェクトの選択操作が検出された場合、前記表示範囲の変更を終了して前記オブジェクトに対応付けられた処理を実行する、
携帯端末装置。
【請求項８】
請求項１記載の携帯端末装置において、
前記表示制御部は、前記変更の際、前記表示範囲をスクロールさせる、
携帯端末装置。
【請求項９】
請求項１記載の携帯端末装置において、
前記表示制御部は、前記変更の際、複数の画面のうち前記表示範囲とする画面を切り替える、
携帯端末装置。
【請求項１０】
請求項１記載の携帯端末装置において、
前記表示制御部は、前記変更の際、前記表示画面内の複数のオブジェクトの配置を変更して、前記配置内において各々のオブジェクトを移動させる、
携帯端末装置。
【請求項１１】
請求項２記載の携帯端末装置において、
前記表示制御部は、前記第２角度が前記第１角度の付近の所定の角度範囲内である場合、前記表示範囲の変更の表示動作を行わない、または一時停止させる、
携帯端末装置。
【請求項１２】
請求項３記載の携帯端末装置において、
前記方向選択アイコンは、中央停止領域を含み、
前記表示制御部は、前記タッチ位置が前記中央停止領域である場合、または前記方向選択アイコンの外の領域である場合、前記表示範囲の変更の表示動作を行わない、または一時停止させる、
携帯端末装置。
【請求項１３】
請求項４記載の携帯端末装置において、
前記表示制御部は、タッチ位置が前記第１位置の付近の所定範囲内である場合、前記表示範囲の変更の表示動作を行わない、または一時停止させる、
携帯端末装置。
【請求項１４】
請求項１記載の携帯端末装置において、
前記表示制御部は、前記第１押圧の強さに応じて、前記変更の際に表示情報を連続的に移動させる際の速度、または断続的に移動させる際の時間間隔を変える、
携帯端末装置。
【請求項１５】
請求項２記載の携帯端末装置において、
前記表示制御部は、前記傾きの角度の前記差分の大きさに応じて、前記変更の際に表示情報を連続的に移動させる際の速度、または断続的に移動させる際の時間間隔を変える、
携帯端末装置。
【請求項１６】
請求項１記載の携帯端末装置において、
前記情報は、コンテンツ表示情報、複数のホーム画面、複数のアプリケーション画面、画面内の複数のアイコン、のうちの少なくとも１つである、
携帯端末装置。
【請求項１７】
請求項１記載の携帯端末装置において、
前記表示画面がある前面に設けられるタッチ押圧センサと、
前記表示画面に対するタッチ位置座標を検出するタッチ検出部と、
を備える、携帯端末装置。
【発明の詳細な説明】
【技術分野】
【０００１】
本発明は、携帯端末装置の技術に関する。また、本発明は、表示画面に対するユーザインタフェース技術に関する。
【背景技術】
【０００２】
タッチパネルの表示画面に対するユーザの指等の接触により入力操作を可能とする、スマートフォン等の携帯端末装置が普及している。携帯端末装置は、タッチ入力操作に応じて、表示画面内のコンテンツ等の表示を制御する。携帯端末装置は、入力操作に応じて例えばインターネットからコンテンツ情報を取得して表示画面に表示する。その際、携帯端末装置は、そのコンテンツの全体が表示画面内に表示しきれない場合には、そのコンテンツの表示情報の一部を表示する。携帯端末装置は、表示画面内でのタッチ入力操作として、タップ、スワイプ、フリック、ピンチ等の各種の操作を受け付ける。例えば、スワイプ操作の場合、ユーザは表示画面を指でタッチし、タッチした状態のまま移動させてから指を離す。フリック操作の場合、ユーザは表示画面を指でタッチした後に素早く指を移動させてから指を離す。携帯端末装置は、タッチ入力操作に応じて、表示画面内のコンテンツの表示範囲をスクロール等させる。これにより、ユーザは、表示画面でコンテンツの他の一部や全体を閲覧等できる。
【０００３】
また、携帯端末装置は、基本操作画面あるいはホーム画面等と呼ばれる画面を設けている。例えば、ホーム画面では、メールやブラウザ等の複数のアプリケーションのアイコンが配置されている。また、複数のホーム画面が設けられる場合もある。ホーム画面で入力操作によりアイコンが選択されると、そのアイコンに対応付けられているアプリケーションが実行され、アプリケーション画面が表示される。複数のアプリケーションが実行されている場合、複数のアプリケーション画面が設けられる。アプリケーション画面では、コンテンツ等の全体または一部が表示される。ユーザは、表示画面内に表示されるホーム画面等の表示範囲を、タッチ入力操作により切り替えることができる。
【０００４】
上記のような携帯端末装置のユーザインタフェースに関する先行技術例として、特開２０１１−７６３４９号公報（特許文献１）が挙げられる。特許文献１には、携帯情報端末等として、以下の旨が記載されている。その携帯情報端末は、自装置の傾きを検知し、傾きの方向と大きさを示す傾き情報を生成し、画面に対するタッチ操作による接触が維持された状態で検知された傾きについての傾き情報に基づいて、表示画像を変化させる。
【０００５】
また、近年では、タッチパネル及び携帯端末装置として、タッチセンサだけでなく、押圧状態を検出できる押圧センサを備えるものも実現されている。
【先行技術文献】
【特許文献】
【０００６】
【特許文献１】特開２０１１−７６３４９号公報
【発明の概要】
【発明が解決しようとする課題】
【０００７】
しかしながら、携帯端末装置の表示画面の大きさは限られており、コンテンツ表示情報のサイズが大きい場合や多数のホーム画面等がある場合には、表示画面内において、コンテンツの一部や複数の画面の一部のみが表示範囲となる。ユーザが所望のコンテンツや画面の一部や全体を閲覧等したい場合、表示範囲のスクロール等のために、スワイプ等のタッチ入力操作を何回も繰り返す必要がある。タッチ入力操作を何回も繰り返すことは、手間がかかり、身体にも負担をかける。また、表示画面内に多数のアイコン等が配置されている場合、ユーザが所望のアイコン等を探してその箇所をタッチする操作の際に、指が届かない場合もある。その場合、目的の操作のために、端末の持ち手の状態を変える、両手で操作する等の対応が必要になり、手間がかかる。
【０００８】
特許文献１のような技術を用いる場合、ユーザが、概略平板形状の端末の表示画面を、水平の状態でタッチして角度を持つ状態に傾けた場合に、表示画像をスクロール等させることができる。しかし、個々のユーザや状況や目的の操作等に応じて、端末の傾きの状態や、持ち手や指の状態は、様々である。通常、ユーザが端末を手に持った状態で表示画面を見る場合、ユーザの視線及び持ち手の状態に合わせて、水平の地面に対して表示画面内の上下方向が斜めに傾いた状態をとる場合が多い。そのため、特許文献１のような技術では、様々な状態に好適に対応することはできず、表示画面の内容が視認しにくい場合や、意図しないタッチによってスクロールしてしまう等の可能性があり、使い勝手の点で改善余地がある。
【０００９】
本発明の目的は、携帯端末装置及び表示画面に対するユーザインタフェースの技術に関して、ユーザの様々な状態に対応して少ない手間でコンテンツ等の表示範囲の変更が実現でき、より好適な使い勝手を実現できる技術を提供することである。
【課題を解決するための手段】
【００１０】
本発明のうち代表的な実施の形態は、携帯端末装置であって、以下に示す構成を有することを特徴とする。
【００１１】
一実施の形態の携帯端末装置は、表示画面に情報を表示する表示部と、前記表示画面に対する押圧を検出する押圧検出部と、前記表示画面に表示される前記情報の表示範囲を変更する制御を行う表示制御部と、を備え、前記表示制御部は、前記押圧検出部により所定の大きさ以上の第１押圧が検出された後に、前記第１押圧が保持されていない状態において、前記表示範囲を変更する。
【発明の効果】
【００１２】
本発明のうち代表的な実施の形態によれば、携帯端末装置及び表示画面に対するユーザインタフェースの技術に関して、ユーザの様々な状態に対応して少ない手間でコンテンツ等の表示範囲の変更が実現でき、より好適な使い勝手を実現できる。
【図面の簡単な説明】
【００１３】
【図１】本発明の実施の形態１の携帯端末装置の構成概要を示す図である。
【図２】実施の形態１の携帯端末装置の機能ブロック構成を示す図である。
【図３】実施の形態１の携帯端末装置のソフトウェア等の構成を示す図である。
【図４】実施の形態１の携帯端末装置で、外観及びコンテンツ表示を示す図である。
【図５】実施の形態１の携帯端末装置で、タッチ押圧センサの検出について示す図である。
【図６】実施の形態１の携帯端末装置で、ユーザによる使用状態、傾き角度、傾ける操作等について、横から見た状態で示す図である。
【図７】実施の形態１の携帯端末装置で、傾ける操作等を、表示画面の正面を見た状態で示す図である。
【図８】実施の形態１の携帯端末装置で、表示範囲変更制御として、コンテンツのスクロール表示を示す図である。
【図９】実施の形態１の携帯端末装置で、制御処理のフローを示す図である。
【図１０】実施の形態１の携帯端末装置で、角度とスクロール速度との関係を示す図である。
【図１１】実施の形態１の携帯端末装置で、スマートウォッチに適用した場合を示す図である。
【図１２】本発明の実施の形態２の携帯端末装置の構成概要として、操作や表示制御を示す図である。
【図１３】実施の形態２の携帯端末装置で、制御処理のフローを示す図である。
【図１４】実施の形態２の第１変形例の携帯端末装置の表示制御を示す図である。
【図１５】実施の形態２の第２変形例の携帯端末装置の表示制御を示す図である。
【図１６】実施の形態２の第３変形例の携帯端末装置の表示制御を示す図である。
【図１７】本発明の実施の形態３の携帯端末装置の構成概要として、操作や表示制御の第１状態を示す図である。
【図１８】実施の形態３の携帯端末装置で、操作や表示制御の第２状態を示す図である。
【図１９】実施の形態３の携帯端末装置で、第３状態を示す図である。
【図２０】実施の形態３の携帯端末装置で、表示範囲の変更を示す図である。
【図２１】実施の形態３の携帯端末装置で、制御処理のフローを示す図である。
【図２２】本発明の実施の形態４の携帯端末装置における、複数のホーム画面の切り替え表示について示す図である。
【図２３】実施の形態４の携帯端末装置で、表示制御を示す図である。
【図２４】実施の形態４の変形例の携帯端末装置で、押圧の強さと時間間隔との関係を示す図である。
【図２５】実施の形態４の変形例の携帯端末装置で、レイヤ表示例を示す図である。
【図２６】実施の形態４の変形例の携帯端末装置で、表示情報の例を示す図である。
【図２７】実施の形態４の変形例の携帯端末装置で、表示情報の例を示す図である。
【図２８】実施の形態４の変形例の携帯端末装置で、タッチ押圧の位置や数の区別について示す図である。
【図２９】実施の形態４の変形例の携帯端末装置で、押圧センサの区別について示す図である。
【図３０】本発明の実施の形態５の携帯端末装置における、複数のアイコンの配置の表示制御について示す図である。
【発明を実施するための形態】
【００１４】
以下、本発明の実施の形態を図面に基づいて詳細に説明する。なお、実施の形態を説明するための全図において同一部には原則として同一符号を付し、その繰り返しの説明は省略する。
【００１５】
（実施の形態１）
図１〜図１１を用いて、本発明の実施の形態１の携帯端末装置について説明する。
【００１６】
［構成概要］
図１は、実施の形態１の携帯端末装置の構成概要を示す。図１では、ユーザが左手で携帯端末装置の筐体１を持ち、表示画面２内の箇所を親指でタッチ及び押圧する際の状態を示す。携帯端末装置は、水平面、水平方向に対する絶対的な傾きの角度θを持って傾いた状態である。表示画面２には、コンテンツ等の表示情報３の全体のうち一部が表示範囲４として表示されている。なお、説明上、Ｘ方向、Ｙ方向、Ｚ方向を示す。Ｘ方向及びＹ方向は、筐体１、表示画面２、及び表示情報３等の平面を構成する方向である。Ｘ方向は、画面内水平方向、横方向、左右方向である。Ｙ方向は、画面内垂直方向、縦方向、上下方向である。Ｚ方向は、Ｘ方向及びＹ方向に対する垂直方向であり、筐体１等の厚さ方向である。
【００１７】
携帯端末装置は、表示部、タッチ検出部、押圧検出部、傾き角度検出部、表示制御部等を備える。表示部は、表示画面２にコンテンツ等の表示情報３を表示する。タッチ検出部は、表示画面２に対するタッチの有無及び位置座標等を検出する。押圧検出部は、表示画面２に対する押圧の強さ等を検出する。傾き角度検出部は、携帯端末装置の傾きの角度θを検出する。表示制御部は、押圧や傾き角度の状態に基づいて、表示情報３の表示範囲４を変更する制御として、スクロール５，６等を制御する。
【００１８】
ユーザは、表示画面２に表示されているコンテンツのうちの他の一部を閲覧等したい場合、自分に適した手持ちの状態で、表示画面２内の箇所を例えば親指でタッチ及び押圧する。この操作を第１押圧操作とする。ユーザは、第１押圧操作の際、ある程度以上の強さで押圧してから指を離す。押圧検出部は、その際に所定の大きさ以上の第１押圧を検出する。また、傾き角度検出部は、その第１押圧の際における筐体１の傾きの角度θを検出する。表示制御部は、第１押圧の検出に基づいて、通常モードから特有の制御モードへ移行させる。表示制御部は、第１押圧の際に検出された傾きの角度θを、基準角度θ０として設定する。第１押圧操作後の制御モードでは、表示画面２から指が離されており、第１押圧が保持されていない状態、かつタッチ無し状態である。
【００１９】
ユーザは、制御モードの状態で、筐体１を傾ける操作を行う。言い換えると、筐体１は、所定の回転軸及び方向で回転させられる。傾き角度検出部は、その傾ける操作及び回転に伴う傾きの角度θｎを同様に検出する。表示制御部は、制御モードの状態で検出された傾きの角度θｎと基準角度θ０との差分の大きさに応じて、表示画面２での表示範囲４を変更する制御を行う。表示制御部は、その変更制御として、スクロール５，６等の表示動作を制御する。スクロール５，６は、表示画面２に表示される表示範囲４をＹ方向の上下等で連続的に移動させる動作である。
【００２０】
ユーザは、スクロール５，６等の動作によって所望のコンテンツの一部が表示範囲４として表示された状態になったら、表示画面２内の箇所を再びタッチ及び押圧する。この操作を第２押圧操作とする。ユーザは、第２押圧操作の際、ある程度以上の強さで押圧してから指を離す。押圧検出部は、第２押圧操作の際の所定の大きさ以上の第２押圧を検出する。表示制御部は、第２押圧の検出に基づいて、スクロール５，６等の動作を終了させて、制御モードを解除して通常モードに戻る。
【００２１】
また、ユーザは、制御モード中、角度θｎを最初の基準角度θ０の付近の状態に戻すように傾けてもよい。その場合、携帯端末装置は、スクロール５，６を一時停止させる。
【００２２】
図１の下側には、上記制御を時間軸で示す。携帯端末装置は、最初、通常モードの状態から、表示画面２での第１押圧操作がされると、制御モードに入り、基準角度θ０を設定する。携帯端末装置は、制御モード中、第１押圧が保持されていない状態で、傾ける操作の角度θｎに応じて、表示範囲４を変更する。携帯端末装置は、制御モードの状態から、表示画面２での第２押圧操作がされると、表示範囲４の変更を終了し、制御モードを解除して通常モードに戻る。このように、ユーザは、簡単な操作によってコンテンツ等の表示範囲４を変えて所望の箇所を閲覧等することができる。
【００２３】
［携帯端末装置（１）］
図２は、実施の形態１の携帯端末装置の機能ブロック構成を示す。実施の形態１の携帯端末装置は、スマートフォンである。携帯端末装置としては、スマートウォッチ、携帯電話機、タブレット型ＰＣ、ＰＤＡ、デジタルカメラ、その他の各種の携帯用デジタル機器が適用可能である。
【００２４】
実施の形態１の携帯端末装置は、主制御部１０１、システムバス１０２、ＲＯＭ１０３、ＲＡＭ１０４、ストレージ部１０５、操作部１０６、振動発生部１０７、拡張インタフェース部１０８、センサ部１１０、映像処理部１２０、音声処理部１３０、通信処理部１４０、等を有する。
【００２５】
主制御部１０１は、マイクロプロセッサユニット等により構成され、プログラム処理に従って携帯端末装置の全体を制御する。システムバス１０２は、主制御部１０１と各部との間でデータ送受信を行うためのデータ通信路である。ＲＯＭ１０３は、ＯＳ等の基本動作プログラムやアプリケーションプログラム等が格納されているメモリである。ＲＯＭ１０３は、例えばＥＥＰＲＯＭやフラッシュＲＯＭ等、書き換え可能なＲＯＭが用いられる。ＲＯＭ１０３に格納されているプログラムの更新により、基本動作プログラム等のバージョンアップや機能拡張が可能である。ＲＡＭ１０４は、基本動作プログラムやアプリケーションプログラム等の実行時のワークエリアとなる。ストレージ部１０５には、アプリケーションプログラム等が格納されている。
【００２６】
操作部１０６は、ユーザによる入力操作を可能とする入力デバイスを含む部分であり、操作キーを含む。操作キーは、携帯端末装置の電源オン／オフやスタンバイを可能とする操作キーや、基本操作画面を表示するための操作キー等を含む。
【００２７】
振動発生部１０７は、偏心モータ等により、携帯端末装置を振動させる。これにより、ユーザに状態を伝えることができる。拡張インタフェース部１０８は、携帯端末装置の機能を拡張するためのインタフェース群である。拡張インタフェース部１０８は、例えばＵＳＢインタフェース、メモリインタフェース等で構成される。ＵＳＢインタフェースは、キーボードやその他のＵＳＢ機器の接続を行う。メモリインタフェースは、メモリカードやその他のメモリ媒体の接続、及びデータ送受信を行う。
【００２８】
センサ部１１０は、携帯端末装置に関する状態を検出するためのセンサ群である。センサ部１１０は、ＧＰＳ受信部１１１、加速度センサ１１２、ジャイロセンサ１１３、地磁気センサ１１４、照度センサ１１５、近接センサ１１６、タッチ押圧センサ１１７を含む。センサ部１１０は、その他のセンサを備えてもよい。
【００２９】
ＧＰＳ受信部１１１を用いて、携帯端末装置の位置が例えば緯度及び経度として検出可能である。加速度センサ１１２及びジャイロセンサ１１３を用いて、携帯端末装置の動き及び傾きが検出可能である。傾きとしては、少なくとも水平面に対する傾きの角度θが検出可能である。地磁気センサ１１４を用いて、携帯端末装置の方角が検出可能である。照度センサ１１５を用いて、携帯端末装置の周囲の明るさが検出可能である。近接センサ１１６を用いて、携帯端末装置の周囲物との近接状況が検出可能である。
【００３０】
タッチ押圧センサ１１７を用いて、表示部１２１の表示画面２に対する指のタッチ及び押圧の状態を検出可能である。例えば、タッチ状態として、タッチ有無及びタッチ位置座標が検出可能である。例えば、押圧状態として押圧有無及び押圧の強さが検出可能である。なお、タッチ押圧センサ１１７は、タッチセンサと押圧センサとの一体型に限らず、タッチセンサと押圧センサとが別々の装置として設けられてもよい。
【００３１】
映像処理部１２０は、表示部１２１、映像信号処理部１２２、第１映像入力部１２３、第２映像入力部１２４を含む。表示部１２１は、表示画面２を構成し、例えば液晶パネル等の表示装置を含む。表示部１２１は、映像信号処理部１２２で処理された映像データを表示画面２に表示する。表示部１２１は、タッチ押圧センサ１１７の機能と対応しており、タッチ押圧センサ１１７を内蔵した型のタッチパネルを含んでもよい。映像信号処理部１２２は、ビデオＲＡＭ等を備え、ビデオＲＡＭに入力された映像データに基づいて、表示部１２１を駆動する。映像信号処理部１２２は、必要に応じて、映像データのフォーマット変換、メニューやその他のＯＳＤ信号の重畳処理等を行う。第１映像入力部１２３及び第２映像入力部１２４は、例えばカメラユニットにより構成される。カメラユニットは、レンズから入力した光を、ＣＣＤやＣＭＯＳセンサ等の素子を用いて電気信号に変換することにより、周囲や対象物の映像データを得る。
【００３２】
音声処理部１３０は、音声出力部１３１、音声信号処理部１３２、音声入力部１３３を含む。音声出力部１３１は、スピーカを含み、音声信号処理部１３２で処理された音声信号を音声出力する。音声入力部１３３は、マイクを含み、周囲の音声を音声データに変換して入力する。
【００３３】
通信処理部１４０は、ＬＡＮ通信部１４１、電話網通信部１４２、近距離通信部１４３を含む。ＬＡＮ通信部１４１は、無線通信用アクセスポイントとの無線通信接続及びデータ送受信を行う。電話網通信部１４２は、移動体電話通信網の基地局との無線通信接続、電話通信、及びデータ送受信を行う。近距離通信部１４３は、例えばBlueTooth（登録商標）等の通信インタフェースに対応し、対応する機器との間で近距離無線通信を行う。通信処理部１４０の各部は、それぞれ、符号回路や復号回路、アンテナ等を備える。通信処理部１４０は、赤外線通信部等を備えてもよい。
【００３４】
［携帯端末装置（２）］
図３は、実施の形態１の携帯端末装置のソフトウェア構成として、特に、ＲＯＭ１０３、ＲＡＭ１０４、及びストレージ部１０５におけるプログラムやデータの構成を示す。ＲＯＭ１０３には、基本動作プログラム１０３ａ、その他のプログラム１０３ｂが格納されている。ＲＡＭ１０４には、基本動作実行部１０４ａ、アプリケーション実行部１０４ｂ、一時記憶領域１０４ｃ、等が構成される。基本動作プログラム等の実行時には、必要に応じてデータが一時記憶領域１０４ｃに保持される。
【００３５】
ストレージ部１０５には、アプリケーションプログラム１０５ａ、各種情報／データ記憶領域１０５ｂ等を有する。アプリケーションプログラム１０５ａは、メール、ブラウザ、地図、ゲーム、電子書籍リーダ等、各種機能を実現するためのプログラムである。各種情報／データ記憶領域１０５ｂには、携帯端末装置の設定情報やアプリケーション毎の設定情報等の各種情報やデータが記憶される。ストレージ部１０５は、フラッシュＲＯＭやＳＳＤやＨＤＤ等の不揮発性記憶装置を含み、携帯端末装置に電源が供給されていない状態でも記憶情報を保持する。
【００３６】
なお、ＲＯＭ１０３及びＲＡＭ１０４は主制御部１０１と一体の構成でもよい。ＲＯＭ１０３の機能の一部または全部は、代替として、ストレージ部１０５の一部記憶領域により実現されてもよい。
【００３７】
主制御部１０１は、ＲＯＭ１０３から基本動作プログラム１０３ａを読み出してＲＡＭ１０４に展開して実行することにより、基本動作実行部１０４ａを実現する。主制御部１０１は、ストレージ部１０５からアプリケーションプログラム１０５ａを読み出してＲＡＭ１０４に展開して実行することにより、アプリケーション実行部１０４ｂを実現する。
【００３８】
基本動作実行部１０４ａには、各実行部として、タッチ検出部２０１、押圧検出部２０２、傾き角度検出部２０３、表示制御部２０４、及び振動制御部２０５を含む。各実行部は連携する。
【００３９】
タッチ検出部２０１は、タッチ押圧センサ１１７を用いてタッチ検出処理を行う。タッチ検出部２０１は、表示画面２内の複数の箇所のタッチを検出する公知の機能を実現する。タッチ検出部２０１は、タップ、スワイプ、フリック、ピンチ等の操作を検出する公知の機能を実現する。押圧検出部２０２は、タッチ押圧センサ１１７を用いて押圧検出処理を行う。押圧検出部２０２は、タッチ位置での押圧有無及び押圧の強さを検出する。
【００４０】
傾き角度検出部２０３は、加速度センサ１１２やジャイロセンサ１１３を用いて、携帯端末装置の傾きの角度θの検出処理を行う。表示制御部２０４は、表示部１２１の表示画面２に対する入力操作に応じて、表示画面２の表示内容を制御する処理を行う。この処理は、スクロール表示動作等の制御処理を含む。振動制御部２０５は、振動発生部１０７を用いて携帯端末装置に振動を発生させる処理を行う。
【００４１】
なお、基本動作プログラム１０３ａにより実現される携帯端末装置のＯＳは、公知のグラフィカルユーザインタフェース制御部を含む。グラフィカルユーザインタフェース制御部は、表示画面２に対するタッチ入力操作を通じて入力情報を得る機能や、その入力情報に応じた制御処理に基づいて表示画面２への出力を制御する機能を実現する。
【００４２】
［外観及びコンテンツ表示］
図４は、携帯端末装置の外観、及びアプリケーション画面でのコンテンツ表示の例を示す。図４の左側は、表示画面２を持つ筐体１の前面の構成を示し、右側は背面の構成を示す。概略平板形状の筐体１の表面において、概略矩形の表示画面２を有する。表示画面２内には、コンテンツ表示情報４０１として、本例ではＷｅｂブラウザによるアプリケーション画面におけるＷｅｂページの一部の領域が表示されている。なお、Ｗｅｂページ内のテキストや画像等を、○，×，△，□等の記号で簡易的に図示している。コンテンツ内には、リンク等のオブジェクトが含まれている場合がある。本例では、×で示す領域と、△で示す領域との間に、ＵＲＬ等のリンク７が含まれている場合を簡易的に図示している。表示画面２内には、時計やアドレス等の情報を表示する領域４０２も設けられている。
【００４３】
筐体１には、第１映像入力部１２３に対応する前面のカメラユニット４２３、第２映像入力部１２４に対応する背面のカメラユニット４２４、音声出力部１３１のスピーカ４３１、音声入力部１３３のマイク４３３、等が設けられている。
【００４４】
筐体１には、操作キーとして、電源キーｋ１、ホームキーｋ２を有する。電源キーｋ１は、携帯端末装置の電源のオン／オフ、及びスタンバイ状態への移行／復帰の入力操作を可能とする。電源キーｋ１の所定時間以上の押下により電源のオン／オフが切り替えられる。電源キーｋ１の所定時間よりも短い時間の押下によりスタンバイ状態への移行または復帰が行われる。ホームキーｋ２は、後述の基本操作画面であるホーム画面の表示に関する入力操作を可能とする。アプリケーション画面が表示されている状態におけるホームキーｋ２の押下によりホーム画面の表示に切り替えられる。
【００４５】
ユーザは、表示画面２におけるアプリケーション画面内のコンテンツのリンク７等や、ホーム画面内のアイコン等のオブジェクトの箇所をタッチする入力操作を行う。これにより、携帯端末装置は、例えばリンク７に対応付けられているコンテンツの読み込み及び表示を行う。携帯端末装置は、例えばアイコンに対応付けられているアプリケーションの実行及びアプリケーション画面の表示を行う。
【００４６】
［タッチ押圧検出］
図５は、タッチ押圧センサ１１７を用いたタッチ位置座標や押圧の検出について示す。表示画面２及びタッチ押圧センサ１１７に対応した領域５００を有する。領域５００は、タッチ及び押圧の状態が検出可能な領域である。領域５００において、Ｘ方向及びＹ方向の平面における位置座標（Ｘ，Ｙ）を有する。領域５００において指によりタッチや押圧される点の位置を位置座標（Ｘ１，Ｙ１）として示す。領域５００の原点を左上の位置座標（０，０）とし、領域５００の横幅をＸｍ、縦幅をＹｍとする。
【００４７】
タッチ検出部２０１は、タッチ押圧センサ１１７を用いて、領域５００におけるタッチされた点の位置座標（Ｘ１，Ｙ１）を検出する。押圧検出部２０２は、タッチ押圧センサ１１７を用いて、タッチに伴って押圧された点における押圧の強さを検出する。押圧の強さをＰｎとする。また、タッチ検出部２０１は、タッチ押圧センサ１１７を用いて、領域５００において複数の指が同時にタッチされた場合におけるタッチ数及び各タッチ位置座標等を検出可能である。
【００４８】
タッチ検出部２０１は、ピンチ操作等を検出可能である。ピンチ操作の場合、ユーザは、表示画面２に二本の指をタッチし、そのまま二本の指の間隔を拡げるまたは狭める。表示制御部２０４は、そのピンチ操作の状態の検出に応じて、表示画面２内の表示画像サイズの拡大または縮小等の表示動作を制御する。
【００４９】
なお、タッチ検出及び押圧検出の方式については特に限定されず、公知の方式を適用可能である。一例としては静電容量型のタッチ押圧検出方式が適用可能である。この方式では、表示画面に対する指の近接や押圧による静電容量変化を電圧値として検出し、その電圧値に基づいて計算によりタッチ位置座標や押圧の強さを得る。
【００５０】
［使用状態、傾き角度、操作］
図６は、ユーザが携帯端末装置を手に持って使用する状態、携帯端末装置の傾き角度、傾ける操作等について、ユーザ及び筐体１を横から見た状態で示す。この状態では、筐体１及び表示画面２に対応する平面が、水平面や垂直面に対して傾いている。この傾きの状態では、水平方向、水平面に対して、絶対的な傾きの角度θを有する。実施の形態１の携帯端末装置は、この角度θを検出して基準角度θ０として設定する。ユーザは、この基準角度θ０の状態から、スクロール等のために、筐体１を傾ける操作を行う。
【００５１】
図７は、図６に対応した傾ける操作等を、ユーザの視線で表示画面２の正面を見た状態で示す。図７の例では、表示画面２のＸ方向及びＹ方向の中央付近の点がタッチされている。また、その点が、手持ちによる携帯端末装置の支持の基準点６０１であるとする。傾ける操作の際の回転軸は、Ｘ方向の軸であり、線７０１で示す。
【００５２】
図６及び図７で、基準角度θ０に対して更に傾ける操作をした時における絶対的な傾きの角度をθｎとする。角度θｎは、本例では表示画面２及びコンテンツのＹ方向に関する傾きの角度である。相対的な傾きの角度を表す量として、基準角度θ０と角度θｎとの差分値（θｎ−θ０）を有する。また、傾ける操作及び傾きの角度θｎに関して、正方向及び負方向を示す。正方向は、支持の基準点６０１を固定とした場合に、表示画面２の上辺をユーザから見て手前へ傾ける場合の方向とし、負方向は、表示画面２の上辺をユーザから見て奥へ傾ける場合の方向とする。
【００５３】
［表示範囲変更制御、スクロール表示］
図８は、実施の形態１の携帯端末装置における表示範囲変更制御として、コンテンツのスクロール表示動作を示す。表示画面２内のアプリケーション画面において、コンテンツ８００が表示可能な領域８０１を含む。領域８０１に、コンテンツ８００の表示情報３の一部が表示範囲４として表示されている。コンテンツ８００は、Ｗｅｂページの例であり、実際のデータはＨＴＭＬ等により構成される。表示情報３では、テキストや画像等の領域の間にリンク７を含んでいる場合を示す。表示情報３は、アプリケーションにより、領域８０１の大きさ等に合わせて可変される。
【００５４】
領域８０１の大きさに対し、コンテンツ８００の表示情報３の全体のサイズ、即ち拡大縮小等が無い場合の標準サイズが大きい。そのため、表示情報３の全体を領域８０１に表示することができない。よって、領域８０１には、表示情報３の一部が表示範囲４として表示される。表示範囲４は、コンテンツ８００の表示情報３が表示画面２の領域８０１に表示される際の範囲である。表示範囲４は、本例では、Ｗｅｂページの途中の領域である場合を示し、×で示す領域の一部、リンク７、△で示す領域の一部が含まれている。
【００５５】
ユーザは、領域８０１に表示されている表示範囲４の状態から、表示されていないコンテンツ８００の他の一部を閲覧等したい場合、従来ではスワイプやフリック等によりスクロールをさせる。本例では、Ｙ方向の上または下にスクロール可能である場合を示す。従来では、サイズが大きいコンテンツ８００を閲覧等したい場合、スワイプ等の操作を何回も繰り返す必要があり、手間が大きい。
【００５６】
一方、実施の形態１では、ユーザにより表示画面２の領域８０１内を第１押圧操作して筐体１を傾ける操作により、表示範囲４をスクロールさせることができる。即ち、表示情報３の表示範囲４を変更することができる。スクロール５は、第１方向スクロールであり、コンテンツ８００内での先頭や相対的に上方向へのスクロールを示す。スクロール５では、表示範囲４が上方向に移動され、領域８０１にはコンテンツ８００内での相対的に上方向の一部が表示される。スクロール６は、第２方向スクロールであり、コンテンツ８００内での末端や相対的に下方向へのスクロールを示す。スクロール６では、表示範囲４が下方向に移動され、領域８０１にはコンテンツ８００内での相対的に下方向の一部が表示される。なお、表示画面２の領域８０１内では、スクロール方向に対する反対方向へ画像部分が動く。
【００５７】
［表示制御］
実施の形態１の携帯端末装置における表示制御について以下である。携帯端末装置の表示制御部２０４は、表示画面２のアプリケーション画面でコンテンツを表示する場合に、ユーザによる特定のタッチ押圧操作及び筐体１を傾ける操作を受け付けて、表示範囲４をスクロールさせる、表示範囲変更制御を行う。
【００５８】
ユーザは、最初、図６のような手持ちの状態であり、図８のようにコンテンツ８００の一部を表示範囲４として閲覧しているとする。ユーザは、その状態から、コンテンツ８００の他の一部を閲覧等したい場合、図１のように、まず、表示画面２の領域８０１を第１押圧操作する。この際、ユーザは、ある程度以上の強さで押圧してから指を離す。携帯端末装置は、その押圧の強さＰｎが所定の大きさ以上である第１押圧の場合、制御モードへ移行させる。携帯端末装置は、第１押圧の検出の時の角度θを検出し、基準角度θ０として設定する。基準角度θ０は、制御用に一時的に設定される角度である。なお、角度θは、第１押圧の検出時点から所定時間内で検出されたものを用いてもよい。
【００５９】
ユーザは、第１押圧操作後の、表示画面２から指を離している状態で、筐体１を所望の方向に傾ける操作をする。ユーザは、例えば上方向へのスクロール５をさせたい場合、負方向へ傾ける。携帯端末装置は、その傾ける操作に応じた角度θｎを検出し、相対的な傾きの角度の量である差分値（θｎ−θ０）を検出する。携帯端末装置は、第１押圧の強さＰｎ及び差分値（θｎ−θ０）を用いて、スクロールさせるか否か及びスクロールの方向や速度等を決定する。携帯端末装置は、差分値（θｎ−θ０）で示す方向及び大きさに応じて、異なるスクロール表示動作となるように制御する。このスクロール表示動作により、表示画面２の領域８０１での表示範囲４が変更される。
【００６０】
ユーザは、スクロールにより領域８０１に所望の表示範囲４が表示される状態になったら、筐体１の傾きを最初の基準角度θ０に近い状態に戻すことにより、スクロールを一時停止させることができる。また、ユーザは、その状態から傾ける操作により、スクロールを再開させることができる。
【００６１】
ユーザは、所望の表示範囲４の状態で、第２押圧操作により、通常モードへ戻ることができる。携帯端末装置は、第２押圧操作の際の第２押圧を検出し、その時点でスクロールによる表示範囲４の変更を終了させ、制御モードを解除して通常モードへ戻る。ユーザは、その解除の時点の表示範囲４に対応するコンテンツ８００の一部を閲覧等できる。
【００６２】
また、ユーザは、第２押圧操作の前に、所望の表示範囲４内にあるリンク７等のオブジェクトをタッチにより選択操作してもよい。この場合、携帯端末装置は、そのオブジェクトを実行する処理、例えばリンク７のコンテンツを読み込んで表示する処理を行うと共に、制御モードを解除する。
【００６３】
［制御フロー］
図９は、実施の形態１における表示範囲変更制御を実現する制御処理のフローを示す。基本動作実行部１０４ａ、特に表示制御部２０４は、図９のフローの処理を実行する。なお、このフローを実現するための制御状態であるモードとして、第１モード、第２モード、第３モードを有する。各モードの管理上の値を、０，１，２とする。モード＝０（第１モード）は初期状態を示す。モード＝１（第２モード）は、タッチ有り状態等を示す。モード＝２（第３モード）は、第１押圧有り状態等を示す。図９は、ステップS101〜S126を有する。以下、ステップの順に説明する。
【００６４】
（S101）  表示制御部２０４は、ユーザにより選択されたコンテンツを読み込む。表示制御部２０４は、最初、モードをモード＝０（第１モード）に設定する。
【００６５】
（S102）  表示制御部２０４は、表示画面２に、最初、コンテンツのうちの先頭、例えば図８の領域８２１を表示する。なお、このような表示位置は、アプリケーションやコンテンツに応じて決まる。
【００６６】
（S103）  携帯端末装置は、操作部１０６やタッチ押圧センサ１１７を通じて、ユーザによる入力操作を受け付けて、それに対応する入力情報を取得する。表示制御部２０４は、タッチ検出部２０１を通じて、タッチ入力情報を取得する。その際、タッチ検出部２０１は、タッチ有無及びタッチ位置座標（Ｘ１，Ｙ１）を検出する。また、押圧検出部２０２は、押圧の有無及び押圧の強さＰｎを検出する。
【００６７】
（S104）  表示制御部２０４は、入力情報に基づいて、タッチ有無の判断により、処理を分岐させる。タッチ有りの場合（Ｙ）にはS105、タッチ無しの場合（Ｎ）にはS117へ進む。
【００６８】
（S105）  表示制御部２０４は、タッチ検出部２０１から、タッチ位置座標（Ｘ１，Ｙ１）を含む情報を取得する。
【００６９】
（S106）  また、表示制御部２０４は、押圧検出部２０２から、S105のタッチ位置座標に対応するタッチ位置における押圧の強さＰｎを含む情報を取得する。
【００７０】
（S107）  表示制御部２０４は、現在のモードがモード＝２（第３モード）であるか否かを確認し、分岐を行う。モード＝２の場合にはS108、否の場合にはS110へ進む。
【００７１】
（S108）  表示制御部２０４は、S106で取得した押圧の強さＰｎを、所定の閾値Ｐｔと比較し、強さＰｎが閾値Ｐｔ以上であるか否かを判断し、分岐を行う。Ｐｎ≧Ｐｔの場合にはS109へ進み、Ｐｎ＜Ｐｔの場合にはS103へ戻る。
【００７２】
（S109）  表示制御部２０４は、モードをモード＝０（第１モード）に設定し、S103へ戻る。なお、S107，S109の流れは、第２押圧操作による制御モードの解除に相当する。
【００７３】
（S110）  一方、S110では、表示制御部２０４は、S106で取得した押圧の強さＰｎを、所定の閾値Ｐｔと比較し、強さＰｎが閾値Ｐｔ以上であるか否かを判断し、分岐を行う。Ｐｎ≧Ｐｔの場合にはS113、Ｐｎ＜Ｐｔの場合にはS111へ進む。
【００７４】
（S111）  表示制御部２０４は、S105で取得したタッチ位置座標（Ｘ１，Ｙ１）をメモリに記憶して保持する。
【００７５】
（S112）  表示制御部２０４は、モードをモード＝１（第２モード）に設定し、S103に戻る。
【００７６】
（S113）  一方、S113では、表示制御部２０４は、傾き角度検出部２０３により携帯端末装置の傾きの角度θを取得する。
【００７７】
（S114）  表示制御部２０４は、S113で取得した角度θを、基準角度θ０として設定する。なお、S107，S110，S114等の流れは、第１押圧操作時の制御に相当する。
【００７８】
（S115）  表示制御部２０４は、基準角度θ０をメモリに記憶して保持する。
【００７９】
（S116）  表示制御部２０４は、モードをモード＝２（第３モード）に設定し、S103へ戻る。
【００８０】
（S117）  一方、S104でタッチ無しの場合、S117で、表示制御部２０４は、現在のモードを確認し、分岐を行う。モード＝０の場合にはS103へ戻り、モード＝１の場合にはS118へ進み、モード＝２の場合にはS121へ進む。
【００８１】
（S118）  表示制御部２０４は、表示画面２でのタッチ位置としてS111で記憶されたタッチ位置座標（Ｘ１，Ｙ１）と、表示画面２の表示情報３のうちのリンク７等のオブジェクトの位置とを比較する。表示制御部２０４は、それらの位置が一致するか否かにより、分岐を行う。一致の場合、即ちユーザのタッチ位置がリンク７等に該当する場合にはS120へ進み、不一致の場合にはS119へ進む。
【００８２】
（S119）  表示制御部２０４は、モードをモード＝０（第１モード）に設定し、S103へ戻る。
【００８３】
（S120）  表示制御部２０４は、オブジェクトに対応付けられた処理を実行する。例えば、表示制御部２０４は、リンク７のＵＲＬで指定されるコンテンツを、インターネット上のサーバから取得して読み込み、表示画面２に表示する処理を行う。この場合、携帯端末装置は、Ａ１で示すように本フローのループを抜けて、新たなコンテンツについて、本フローの最初から同様に処理を行う。
【００８４】
（S121）  一方、S121では、傾き角度検出部２０３により、携帯端末装置の傾きの角度θｎを検出する。表示制御部２０４は、傾き角度検出部２０３から、その角度θｎを含む情報を取得する。
【００８５】
（S122）  表示制御部２０４は、角度θｎと基準角度θ０との差分値の絶対値｜θｎ−θ０｜を、所定の閾値θｔと比較し、閾値θｔ以上であるか否かを判断し、分岐を行う。｜θｎ−θ０｜≧θｔの場合にはS123へ進み、｜θｎ−θ０｜＜θｔの場合にはS103へ戻る。なお、この差分値が０または殆ど０である場合、基準角度θ０の状態から変化していないことを表す。絶対値｜θｎ−θ０｜が閾値θｔよりも小さい範囲内にある場合にはスクロールを生じさせない。したがって、閾値θｔの設定により、ユーザが意図しないで微妙に傾き角度が変化した場合にスクロールするのを防止することができる。
【００８６】
（S123）  表示制御部２０４は、S121で取得した角度θｎ等を用いて、スクロール表示動作に使用するためのスクロール速度Ｓｎを、下記（１）の式に従って設定する。
【００８７】
Ｓｎ＝Ｓ０×｜θｎ−θ０｜／θｔ      ・・・（１）
所定の基準スクロール速度をＳ０とする。基準スクロール速度Ｓ０は、実装上の固定の設定値としてもよいし、ユーザにより可変に設定可能な設定値としてもよい。（１）の式では、閾値θｔに対する角度θｎの差分の絶対値の大きさ（｜θｎ−θ０｜／θｔ）に応じて、基準スクロール速度Ｓ０を乗算で増大させるようにして、スクロール速度Ｓｎが決定される。即ち、基準角度θ０に対して傾ける角度θｎが大きいほど、スクロール速度Ｓｎを大きくすることができる。S123の設定については後述の図１０にも示す。
【００８８】
（S124）  次に、表示制御部２０４は、角度θｎと基準角度θ０との大きさの関係、言い換えると差分値（θｎ−θ０）の符号の正負に応じて、分岐を行う。角度θｎが基準角度θ０よりも大きい場合（θｎ＞θ０）にはS125、小さい場合（θｎ＜θ０）にはS126へ進む。
【００８９】
（S125）  表示制御部２０４は、正方向の傾きに対応して、S123で設定したスクロール速度Ｓｎを用いて、図８のスクロール６をさせる下方向スクロール処理を行い、その後、S103へ戻る。
【００９０】
（S126）  表示制御部２０４は、負方向の傾きに対応して、S123で設定したスクロール速度Ｓｎを用いて、図８のスクロール５をさせる上方向スクロール処理を行い、その後、S103へ戻る。
【００９１】
S104，S117，S125等の流れは、制御モード中の表示範囲４の変更に相当する。なお、本フローでは、ループで所定時間毎の処理が繰り返され、S125等のスクロール処理は、所定時間で所定距離を移動させる分のスクロールに相当する。ループによりS125等の処理が何回も継続されることにより、長距離の連続的なスクロールも実現される。
【００９２】
［スクロール速度の設定］
図１０は、図９のステップS123のスクロール速度Ｓｎの設定に関する、傾きの角度θの差分の絶対値｜θｎ−θ０｜とスクロール速度Ｓｎとの関係を示す。横軸は絶対値｜θｎ−θ０｜であり、例えば閾値θｔ、２×θｔ、３×θｔの値を示す。縦軸はスクロール速度Ｓｎであり、例えば基準スクロール速度Ｓ０、２×Ｓ０、３×Ｓ０の値を示す。直線１００１は、（１）の式に対応する関数を示し、絶対値｜θｎ−θ０｜に応じてスクロール速度Ｓｎが線形に増加する。
【００９３】
［効果等］
上記のように、実施の形態１の携帯端末装置によれば、ユーザの様々な状態に対応して少ない手間でコンテンツ等の表示範囲の変更が実現でき、より好適な使い勝手を実現できる。携帯端末装置は、押圧の強さＰｎ及び傾きの角度θｎを用いて、スクロール表示制御によりコンテンツの表示範囲４を変更する。ユーザは、携帯端末装置の筐体１を、自分や状況に適した手持ちの状態、例えば片手で自然に持った状態とする。ユーザは、所望の時点で第１押圧操作によってその状態を基準角度θ０として設定できる。ユーザは、そのまま筐体１を所望の方向へ傾ける操作により、スクロールさせて表示範囲４を変えることができる。そして、ユーザは、所望の時点で第２押圧操作によってその状態を解除することができる。ユーザは、タッチ操作を何回も繰り返す必要無く、簡単な操作で素早く所望の表示範囲４を閲覧等することができる。ユーザは、一回の操作でスクロールにより所望の距離を移動させることができる。
【００９４】
所定の大きさ以上の第１押圧をトリガとして制御モードに入り基準角度θ０が設定されるので、ユーザが意図せずにタッチが生じた場合に誤ってスクロールされることも無い。また、ユーザは、角度θｎ等に応じてスクロール速度Ｓｎ等も好みに調整できる。また、ユーザは、スクロールに連動させて素早くリンク７等を選択することもできる。
【００９５】
また、実施の形態１の携帯端末装置によれば、スマートウォッチ等、表示画面のサイズが比較的小さい装置にも、好適に適用可能である。表示画面のサイズが比較的小さい場合、表示画面を指でタッチ及び押圧した際、指によって表示画面の一部が隠れてしまい、その部分がユーザから視認し難くなり、使い勝手が良くない場合がある。それに対し、実施の形態１の携帯端末装置では、表示画面２のサイズが比較的小さい場合でも、ユーザが１回押圧して指を離した状態でスクロール等が可能であり、表示情報が視認しやすい。
【００９６】
図１１は、実施の形態１の携帯端末装置としてスマートウォッチである場合の表示画面２に対する押圧操作等を示す。左手首にスマートウォッチを装着した状態で、右手の一本指で表示画面２内の箇所をタッチ及び押圧する様子を示す。表示画面２が円形であり、表示画面２のサイズとして手首幅程度を有する場合を示す。第１押圧操作の際、一時的に表示画面２の一部が隠れる。第１押圧操作で指を離した後の制御モードの状態では、表示画面２の全体が視認できる。ユーザは、表示画面２の全体を見ながら手首を傾ける操作等によりスクロールさせることができ、所望の表示範囲４にしやすい。
【００９７】
［変形例（１）］
実施の形態１の変形例として以下が可能である。実施の形態１では、図１等のように、表示画面２及びコンテンツのＹ方向に関する傾きの角度θを用いてＹ方向のスクロール表示動作を制御する場合を示したが、これに限らず可能である。表示画面２及びコンテンツのＸ方向に関する傾きの角度を用いて、Ｘ方向のスクロール表示動作を制御する形態も同様に可能である。図７には、Ｘ方向に関する傾きの角度φｎに関する傾ける操作を示している。また、上記Ｙ方向の制御と上記Ｘ方向の制御との両方を一緒に実行することにより、上下左右を含む全方向でのスクロール表示動作を制御する形態も可能である。このような各方向の制御は、実装上の固定の適用としてもよいし、ユーザ設定に応じて選択可能な適用としてもよいし、アプリケーションやコンテンツ等に応じて選択される適用としてもよい。例えば、写真画像や地図のように比較的大きいサイズを持ち拡大縮小等が可能であるコンテンツを表示するアプリケーションの場合に、全方向の制御を適用してもよい。
【００９８】
実施の形態１では、制御の対応関係として、正方向の傾きの場合に下方向スクロール、負方向の傾きの場合に上方向スクロールとしたが、逆の対応関係としてもよい。また、実施の形態１のスクロール表示動作は、表示範囲４を連続的に変更する動作、例えば画素単位で滑らかに移動させる動作としたが、これに限らず適用可能である。例えば、一定の領域や距離毎に断続的にスクロールさせる動作も適用可能である。
【００９９】
［変形例（２）］
表示範囲変更制御の対象情報となるコンテンツとして、Ｗｅｂページ等に限らず、写真画像等、各種が適用可能である。また、表示範囲変更の表示動作としては、スクロールに限らず、拡大縮小等も適用可能である。拡大縮小に適用する場合、例えば、傾きの角度が正方向の場合には拡大処理、負方向の場合には縮小処理といった対応関係としてもよい。
【０１００】
例えば、携帯端末装置としてデジタルカメラとし、対象情報として複数の写真画像とする。その装置において、通常モード時には、複数の写真画像または選択された１つの写真画像を表示画面内に表示する。その状態で、スワイプ操作等による写真画像のスクロールや、ピンチ操作等による写真画像の拡大／縮小が可能である。写真画像のサイズが大きい場合や拡大した場合、表示画面２には写真画像の一部が表示される。その装置は、通常モードから第１押圧操作に応じて制御モードに入る。その制御モードの表示では、傾きの角度に応じて、写真画像のスクロールあるいは拡大／縮小を可能とし、第２押圧操作に応じて制御モードから通常モードの表示に戻る。
【０１０１】
特に、写真画像としては、サイズや画角が大きく一度に全体を表示できないパノラマ画像や全天球画像にも適用可能である。制御モード中の操作により、パノラマ画像や全天球画像の全体のうち、視線方向に対応して表示範囲とする一部を容易に変更できる。ユーザは、その写真画像の所望の一部または全体を好適に閲覧等できる。
【０１０２】
［変形例（３）］
図９のステップS123では、図１０の直線１００１の関数のように、スクロール速度Ｓｎを絶対値｜θｎ−θ０｜に応じて線形で変えるように決定したが、これに限らず可能である。例えば、図１０の関数１００２のように、階段状の関数で決定してもよい。この関数１００２では、絶対値｜θｎ−θ０｜の範囲の区分に応じて、スクロール速度Ｓｎが一定値に決定される。また、予め規定された上限値や下限値を含む関数を適用し、その下限値から上限値までの範囲内でスクロール速度Ｓｎを決定してもよい。また、線形の関数に限らず、非線形の関数を適用してもよい。
【０１０３】
また、スクロール速度Ｓｎを、角度θｎに依らずに一定値に設定してもよいし、ユーザ設定により可変に設定可能としてもよい。ユーザ設定手段としては、例えば表示画面２にユーザ設定画面等を表示してスクロール速度Ｓｎ等を設定する項目を設けてもよい。図９の閾値Ｐｔや閾値θｔについては、実装上の固定の設定値としてもよいし、ユーザ設定可能としてもよい。ユーザ設定可能とする形態の場合、ユーザは自分が操作しやすい好適な設定にすることができる。
【０１０４】
［変形例（４）］
第１押圧操作に応じて制御モードに移行した時点で、表示画面２内にその制御モードの状態を表す所定の情報を表示してもよい。これは表示に限らず、所定の音声出力や振動発生でもよい。また、第２押圧操作により制御モードが解除された時点で、所定の情報の表示の消去や他の所定の出力をしてもよい。
【０１０５】
また、第１押圧を判断して制御モードに移行させる際に、更に、タッチ継続時間等を条件として判断してもよい。即ち、所定の大きさ以上の押圧が継続されている時のタッチ有り状態の継続時間が所定の閾値以上である場合に、制御モードに移行させてもよい。
【０１０６】
［変形例（５）］
実施の形態１では、基本的には、押圧の強さＰｎの情報を、第１押圧操作及び第２押圧操作の判定、制御モード切り替えに使用している。更に、変形例として、スクロール速度等の決定の際に押圧の強さＰｎを用いてもよい。例えば、第１押圧の強さＰｎを用いて、図９のステップS123の基準スクロール速度Ｓ０を決定する。例えば、強さＰｎが大きいほど基準スクロール速度Ｓ０が大きくなるようにする。そして、その基準スクロール速度Ｓ０を用いてスクロール速度Ｓｎが計算される。即ち、そのスクロール速度Ｓｎは、強さＰｎと角度θｎとの両方の情報を反映して決定される。また、第１押圧の強さＰｎを用いてスクロール速度Ｓｎを決定し、角度θｎについてはスクロール方向の決定のみに用いる形態等でもよい。
【０１０７】
［変形例（６）］
実施の形態１では、第１押圧操作後から第２押圧操作までの制御モード中、第１押圧が保持されていない状態であり、基本的にタッチ無し状態である。変形例として、後述の実施の形態２等と同様に、制御モード中、第１押圧が保持されていない状態、かつ、タッチ有りが維持される状態としてもよい。即ち、変形例では、第１押圧操作で第１押圧が検出された後に押圧を弱めて指を離さずにタッチしたままの状態とする。制御モード中では、傾きの角度に応じて表示範囲が変更され、タッチ位置については任意に変更可能とする。そして、第２押圧操作の第２押圧の検出に応じて制御モードが解除される。
【０１０８】
また、実施の形態１では、スクロールの一時停止については、角度θｎを基準角度θ０の付近に戻すことにより実現された。変形例として、以下のようにスクロールの一時停止を実現してもよい。第１押圧操作後、タッチ無し状態で、角度θｎに応じて自動的にスクロールが行われる。その途中でスクロールを一時停止したい場合、ユーザは、表示画面２内を軽くタッチしてタッチ有り状態を維持する。携帯端末装置は、そのタッチ有り状態の検出の間、スクロールを一時停止させる。ユーザは、スクロールを再開させたい場合、指を離す。携帯端末装置は、そのタッチ無し状態の検出に応じて、スクロールを再開させる。そして、第２押圧操作の第２押圧の検出に応じて制御モードが解除される。
【０１０９】
（実施の形態２）
図１２〜図１６を用いて、本発明の実施の形態２の携帯端末装置について説明する。実施の形態２等の基本的な構成は実施の形態１と同様であり、以下、実施の形態２における実施の形態１とは異なる構成部分について説明する。実施の形態２では、実施の形態１と同様に、対象情報としてはコンテンツ表示情報である場合を示し、表示範囲変更制御の表示動作としてはＹ方向のスクロールである場合を示す。
【０１１０】
［構成概要］
図１２は、実施の形態２の構成概要として、外観、操作、表示制御等を示す。図１２の左側は、表示画面２内のコンテンツ表示情報１２０１の箇所を第１押圧操作する様子を示す。ユーザは、表示画面２内の箇所を所定の大きさ以上の押圧で第１押圧操作する。この第１押圧操作は、実施の形態１の第１押圧操作とは異なり、所定の大きさ以上の第１押圧の後に、押圧を弱めて指を接触したまま、即ちタッチ有りを維持する操作である。制御モード中では第１押圧が保持されていない状態となる。携帯端末装置は、第１押圧操作がされたタッチ位置座標に対応する第１位置を基準位置として扱う。携帯端末装置は、第１押圧操作をトリガとして通常モードから制御モードに入る。
【０１１１】
図１２の右側は、制御モードに入った時の状態を示す。携帯端末装置は、第１位置を基準位置として、スクロール制御のための方向選択アイコンＪ１を表示する。方向選択アイコンＪ１は、スクロール方向の選択等を可能とする制御用のオブジェクトである。方向選択アイコンＪ１は、上方向領域ｅ１と、下方向領域ｅ２と、それらの間にある中央停止領域ｅ０とから構成されている。最初は、第１押圧操作の指の先のタッチ位置に対応する第１位置に対して所定範囲内に中央停止領域ｅ０が配置された状態で方向選択アイコンＪ１が表示される。言い換えると、中央停止領域ｅ０内に第１位置が含まれているように方向選択アイコンＪ１が配置される。この状態ではまだスクロールは開始されない。
【０１１２】
ユーザは、第１押圧操作後のタッチ有りを維持したままの状態で、方向選択アイコンＪ１上で指を移動させるスライド操作により、方向選択アイコンＪ１内の所望の領域を選択する。ユーザは、上方向領域ｅ１に指の先を置くように選択すると、上方向スクロールを選択でき、下方向領域ｅ２に指の先を置くように選択すると、下方向スクロールを選択できる。上方向領域ｅ１が選択された場合、携帯端末装置は、実施の形態１の図８のスクロール５と同様に上方向スクロールを行う。下方向領域ｅ２が選択された場合、携帯端末装置は、スクロール６と同様に下方向スクロールを行う。
【０１１３】
また、ユーザは、指を中央停止領域ｅ０に置くように選択することにより、スクロールの一時停止を選択できる。中央停止領域ｅ０が選択された場合、携帯端末装置は、上方向や下方向のスクロールを一時停止させる。例えば、ユーザは、最初の中央停止領域ｅ０の状態から上方向領域ｅ１を選択して上方向スクロールをさせる。ユーザは、所望の表示範囲４の状態になったら、指の位置を中央停止領域ｅ０に戻して上方向スクロールを停止させる。また、ユーザは、その状態から、下方向領域ｅ２を選択して下方向スクロールをさせ、所望の表示範囲４の状態になったら、指の位置を中央停止領域ｅ０に戻して下方向スクロールを停止させる。
【０１１４】
携帯端末装置は、ユーザが方向選択アイコンＪ１から指を離した状態、即ちタッチ無し状態を検出した場合、この制御モードを解除して通常モードに戻す。携帯端末装置は、解除に伴い、その時点の表示範囲４の状態でスクロールを終了させて、方向選択アイコンＪ１も非表示にする。
【０１１５】
また、制御モード中、ユーザが指をリンク７の位置に移動して指を離した場合、携帯端末装置は、そのリンク７を選択して対応処理を実行すると共に、制御モードを解除する。
【０１１６】
また、携帯端末装置は、第１押圧操作の第１押圧の強さＰｎに応じて、スクロール速度を決定する。また、携帯端末装置は、方向選択アイコンＪ１の上方向領域ｅ１または下方向領域ｅ２の選択の際の押圧の強さに応じて、スクロール速度を可変に決定する。
【０１１７】
［制御フロー］
図１３は、実施の形態２における表示制御部２０４の制御処理のフローを示す。モードとして第１モードから第３モードまでを有し、管理上の値を０，１，２とする。なお、各実施の形態でモードは独立しており意味は異なる。各実施の形態で閾値等の具体的な値は異なる。図１３はステップS201〜S222を有する。以下、ステップの順に説明する。
【０１１８】
（S201〜S206）  S201〜S206の処理は、実施の形態１の処理と同様である。S201で、表示制御部２０４は、ユーザにより選択されたコンテンツを読み込む。表示制御部２０４は、最初、モードをモード＝０（第１モード）に設定する。S202で、表示制御部２０４は、表示画面２に、最初、コンテンツのうちの先頭を表示する。S203で、携帯端末装置は、操作部１０６やタッチ押圧センサ１１７を通じて、ユーザによる入力操作を受け付けて、それに対応する入力情報を取得する。表示制御部２０４は、タッチ検出部２０１を通じて、タッチ入力情報を取得する。その際、タッチ検出部２０１は、タッチ有無及びタッチ位置座標（Ｘ１，Ｙ１）を検出する。また、押圧検出部２０２は、押圧の有無及び押圧の強さＰｎを検出する。
【０１１９】
S204で、表示制御部２０４は、入力情報に基づいて、タッチ有無の判断により、処理を分岐させる。タッチ有りの場合（Ｙ）にはS205へ進み、タッチ無しの場合（Ｎ）にはS218へ進む。S205で、表示制御部２０４は、タッチ検出部２０１から、タッチ位置座標（Ｘ１，Ｙ１）を含む情報を取得する。S206で、表示制御部２０４は、押圧検出部２０２から、タッチ位置における押圧の強さＰｎを含む情報を取得する。
【０１２０】
（S207）  表示制御部２０４は、現在のモードがモード＝２（第３モード）であるか否かを確認し、分岐を行う。モード＝２の場合にはS213、否の場合にはS208へ進む。
【０１２１】
（S208）  表示制御部２０４は、S206で取得した押圧の強さＰｎを、閾値Ｐｔと比較し、強さＰｎが閾値Ｐｔ以上であるか否かを判断し、分岐を行う。Ｐｎ≧Ｐｔの場合にはS209、Ｐｎ＜Ｐｔの場合にはS211へ進む。
【０１２２】
（S209）  表示制御部２０４は、図１２のように方向選択アイコンＪ１を表示する。この際、表示制御部２０４は、S205で取得したタッチ位置座標（Ｘ１，Ｙ１）に対する所定の範囲内にある位置に、中央停止領域ｅ０が配置される状態で、方向選択アイコンＪ１を表示する。
【０１２３】
（S210）  表示制御部２０４は、モードをモード＝２（第３モード）に設定し、S203へ戻る。
【０１２４】
（S211）  一方、S211では、表示制御部２０４は、タッチ位置座標（Ｘ１，Ｙ１）をメモリに記憶して保持する。
【０１２５】
（S212）  表示制御部２０４は、モードをモード＝１（第２モード）に設定し、S203へ戻る。
【０１２６】
（S213）  一方、S207でモード＝２の場合、S213で、表示制御部２０４は、S205で取得したタッチ位置座標（Ｘ１，Ｙ１）が、方向選択アイコンＪ１の領域内か否かを判断し、分岐を行う。方向選択アイコンＪ１の領域内である場合にはS214へ進み、領域外である場合にはS203へ戻る。
【０１２７】
（S214）  表示制御部２０４は、S206で取得した押圧の強さＰｎ等を用いて、下記（２）の式に基づいて、スクロール速度Ｓｎを設定する。
【０１２８】
Ｓｎ＝Ｓ０×Ｐｎ／Ｐｔ      ・・・（２）
（２）の式では、閾値Ｐｔに対する押圧の強さＰｎの大きさ（Ｐｎ／Ｐｔ）に応じて、基準スクロール速度Ｓ０を乗算で増加させるように、スクロール速度Ｓｎが決定される。即ち、強さＰｎが大きいほどスクロール速度Ｓｎが大きくなる。
【０１２９】
（S215）  表示制御部２０４は、S205で取得したタッチ位置座標（Ｘ１，Ｙ１）が、方向選択アイコンＪ１内のいずれの領域に該当するかを判断し、分岐を行う。即ち、タッチ位置が、上方向領域ｅ１、下方向領域ｅ２、中央停止領域ｅ０のいずれにあるかが判断される。上方向領域ｅ１に該当する場合にはS216へ進み、下方向領域ｅ２に該当する場合にはS217へ進み、中央停止領域ｅ０に該当する場合にはS203へ戻る。
【０１３０】
なお、タッチ位置が中央停止領域ｅ０の場合、S216等のスクロール処理が実行されないので、所定時間のスクロール一時停止として実現される。
【０１３１】
（S216）  表示制御部２０４は、上方向領域ｅ１の選択に応じて、S214で設定したスクロール速度Ｓｎで、上方向スクロール処理を行い、S203へ戻る。この処理では、スクロール速度Ｓｎに対応して、所定時間で所定距離を連続的に移動させるスクロール５が行われる。
【０１３２】
（S217）  表示制御部２０４は、下方向領域ｅ２の選択に応じて、S214で設定したスクロール速度Ｓｎで、下方向スクロール処理を行い、S203へ戻る。この処理では、スクロール速度Ｓｎに対応して、所定時間で所定距離を連続的に移動させるスクロール６が行われる。
【０１３３】
（S218）  一方、S204でタッチ無しの場合、S218で、表示制御部２０４は、現在のモードを確認し、分岐を行う。モード＝０（第１モード）の場合にはS203へ戻り、モード＝１（第２モード）の場合にはS219へ進み、モード＝２（第３モード）の場合にはS221へ進む。
【０１３４】
（S219）  表示制御部２０４は、表示画面２でのタッチ位置としてS211で記憶されたタッチ位置座標（Ｘ１，Ｙ１）と、表示画面２の表示情報３のうちのリンク７等のオブジェクトの位置とを比較する。表示制御部２０４は、それらの位置が一致するか否かにより、分岐を行う。一致の場合にはS220、不一致の場合にはS222へ進む。
【０１３５】
（S220）  表示制御部２０４は、選択されたオブジェクトに対応付けられた処理を実行する。例えば、表示制御部２０４は、リンク７のＵＲＬで指定されるコンテンツを、インターネット上のサーバから取得して読み込み、表示画面２に表示する処理を行う。この場合、携帯端末装置は、Ａ２で示すように本フローのループを抜けて、新たなコンテンツについて、本フローの最初から同様に処理を行う。
【０１３６】
（S221）  一方、S221では、表示制御部２０４は、方向選択アイコンＪ１を非表示にする。
【０１３７】
（S222）  表示制御部２０４は、モードをモード＝０（第１モード）に設定し、S203へ戻る。
【０１３８】
［効果等］
上記のように、実施の形態２の携帯端末装置によれば、実施の形態１と同様に、何回もタッチ操作を繰り返す必要無く、少ない手間で表示範囲の変更が可能である。ユーザは、片手及び一本指の操作によってコンテンツ表示情報を所望の状態に素早くスクロールさせることができる。ユーザは、押圧の強さ等に応じてスクロール速度を調整できる。実施の形態２では、方向選択アイコンＪ１により表示画面２内の一部が隠れるが、スクロール可能な方向等をユーザに明確に認識させることができる。
【０１３９】
［変形例（１）］
実施の形態２の変形例として以下が可能である。実施の形態２では、Ｙ方向の上下の領域を含む方向選択アイコンＪ１を表示してＹ方向スクロールの表示制御を行ったが、これに限らず可能である。
【０１４０】
図１４は、第１変形例として、Ｘ方向スクロールの表示制御を行う場合を示す。対象情報として、例えば縦書き文章を含む電子書籍等のコンテンツ表示情報１４０１の場合を示す。携帯端末装置は、第１押圧操作に応じて、Ｘ方向の左右の領域を含む方向選択アイコンＪ２を表示する。この方向選択アイコンＪ２は、左方向領域ｅ３、中央停止領域ｅ０、右方向領域ｅ４を有する。携帯端末装置は、この方向選択アイコンＪ２を用いて、Ｘ方向の左右のスクロールを制御する。
【０１４１】
図１５は、第２変形例として、Ｙ方向及びＸ方向の両方のスクロールの表示制御を行う場合を示す。対象情報として、例えば比較的大きいサイズを持つ地図情報１５０１の場合を示す。携帯端末装置は、第１押圧操作に応じて、方向選択アイコンＪ３を表示する。この方向選択アイコンＪ３は、上下左右の４つの方向領域と中央停止領域とを有する。携帯端末装置は、方向領域の選択に応じて上下左右の各方向のスクロールを制御する。
【０１４２】
また、例えばコンテンツのＹ方向の先頭が表示範囲４となっている場合、上方向へのスクロールは無効である。他の変形例として、方向選択アイコンの表示において、スクロールが無効な方向に対応する方向領域を、非表示にする、あるいは選択不可能表示にする等、表示状態を詳細に制御してもよい。
【０１４３】
図１６は、第３変形例として、方向選択アイコンに中央停止領域ｅ０を設けない形態を示す。携帯端末装置は、第１押圧操作に応じて、方向選択アイコンＪ４を表示する。この方向選択アイコンＪ４は、円形のうちの上半分に上方向領域ｅ１、下半分に下方向領域ｅ２を有する。それらの領域により上方向または下方向スクロールを選択できる。また、ユーザが、方向選択アイコンＪ４内をタッチしている状態から方向選択アイコンＪ４外の位置に指をずらした場合、携帯端末装置は、スクロールを一時停止させる。また、ユーザが、方向選択アイコンＪ４の内または外から指を離した場合、携帯端末装置は、制御モードを解除する。他の変形例として、方向選択アイコンＪ４の外に指が移動した場合に、スクロールの一時停止を行わずに制御モードを解除してもよい。
【０１４４】
［変形例（２）］
変形例として、実施の形態１と同様に、第１押圧操作及び第２押圧操作を用いて制御モード切り替えを行ってもよい。この変形例では、表示画面２に対する第１押圧操作により制御モードに入って方向選択アイコンを表示し、第２押圧操作により制御モードを解除して方向選択アイコンを非表示にする。第２押圧操作としては、特に中央停止領域ｅ０での第２押圧としてもよいし、方向選択アイコンの外での第２押圧としてもよい。この制御モード中、タッチ有り状態が維持されなくてもよい。ユーザは、第１押圧操作で指を離してから方向選択アイコンをタッチして所望のスクロール方向等を選択可能である。また、この制御モード中、ユーザは、リンク７をタッチして選択可能である。
【０１４５】
［変形例（３）］
実施の形態２では、押圧の強さＰｎの情報を、第１押圧操作の判定、及びスクロール速度Ｓｎの設定の際に使用している。これに限らず、変形例として、押圧の強さＰｎの情報を、他の制御の変数として使用してもよい。例えば、図１３のステップS214のスクロール速度Ｓｎの設定の際には、一定値、例えば基準スクロール速度Ｓ０としてもよい。また、制御モード中、上方向領域ｅ１または下方向領域ｅ２の押圧の強さＰｎ等を検出する。そして、携帯端末装置は、その領域の押圧の強さＰｎを用いて、その方向のスクロール速度Ｓｎを可変に決定する。ユーザは、例えば上方向領域ｅ１に指を移動させて所望の強さで押下する。携帯端末装置は、その上方向領域ｅ１の押圧の強さＰｎに応じて、基準スクロール速度Ｓ０に対し増加させるように、スクロール速度Ｓｎを決定する。即ち、上方向領域ｅ１を強く押下するほど、高速の上方向スクロールが実現される。
【０１４６】
また、携帯端末装置は、中央停止領域ｅ０の押圧の強さＰｎを検出して、拡大縮小表示動作を制御してもよい。ユーザは、中央停止領域ｅ０でスクロールを一時停止させ、その位置で画像を拡大したい場合に、中央停止領域ｅ０を所望の強さで押下する。携帯端末装置は、その中央停止領域ｅ０の押圧の強さＰｎ、及びそのタッチ位置に応じて、画像の拡大縮小を制御する。携帯端末装置は、例えばそのタッチ位置を中心として、強さＰｎの大きさに応じて地図の画像を拡大表示する。また、携帯端末装置は、その強さＰｎが小さくなることに応じて縮小表示する。ユーザは、画像が所望の大きさになった状態で中央停止領域ｅ０から指を離すことにより、その状態で制御モードを解除できる。
【０１４７】
（実施の形態３）
図１７〜図２１を用いて、本発明の実施の形態３の携帯端末装置について説明する。以下、実施の形態３における実施の形態２とは異なる構成部分について説明する。実施の形態３では、対象情報としては地図情報である場合を示し、表示範囲変更制御の表示動作としてはＸ方向及びＹ方向の平面内の任意方向のスクロールである場合を示す。
【０１４８】
［構成概要］
図１７は、実施の形態３の構成概要として、操作、表示制御等を示す。図１７では、左手で筐体１を持った状態で、その親指で表示画面２内をタッチ押圧操作する場合を示す。図１７の状態を第１状態とする。ユーザは、表示画面２内の地図情報１７０１のうちの所望の箇所をタッチ及び押圧する。この操作を第１押圧操作とする。この第１押圧操作は、所定の大きさ以上の第１押圧の検出後に、押圧を弱めて指を離さずにタッチ有りを維持する操作とする。第１押圧操作後の制御モード中、第１押圧が保持されていない状態である。第１押圧操作の時のタッチ位置座標（Ｘ１，Ｙ１）を、第１位置ＬＡとし、ＬＡ＝（Ｘａ，Ｙａ）として表す。携帯端末装置は、第１押圧の検出に応じて、その第１位置ＬＡを、基準位置Ｌｒとして設定する。Ｌｒ＝（Ｘｒ，Ｙｒ）として表す。
【０１４９】
携帯端末装置は、第１押圧操作に応じて通常モードから制御モードに入ると共に、基準位置Ｌｒを設定して、基準位置Ｌｒに所定の基準点アイコンＣ１を表示する。基準点アイコンＣ１は、言い換えると、第１位置アイコンである。本例では、基準点アイコンＣ１として、太陽マークとしている。
【０１５０】
図１８は、図１７の第１状態から遷移した状態である第２状態を示す。ユーザは、基準位置Ｌｒで指をタッチしている第１状態から、タッチ有りを維持したまま、指を所望の位置へ移動させるスライド操作をする。この操作により指を移動した後のタッチ位置を、第２位置ＬＢとする。ＬＢ＝（Ｘｂ，Ｙｂ）として表す。
【０１５１】
第１位置ＬＡである基準位置Ｌｒと第２位置ＬＢとの２点間の距離を、Ｄｎとする。また、基準位置Ｌｒから第２位置ＬＢへの方向を、Ｖ１とする。携帯端末装置は、第２位置ＬＢ、距離Ｄｎ、方向Ｖ１等を把握する。制御モード中、基準点アイコンＣ１は表示したままにされる。ユーザは、基準点アイコンＣ１に基づいて、第１位置ＬＡと第２位置ＬＢとの２点間の距離Ｄｎの大きさ及び方向Ｖ１を認識できる。
【０１５２】
なお、変形例として、第１位置ＬＡに基準点アイコンＣ１等を表示しない形態でもよい。また、第２位置ＬＢに所定の第２位置アイコンを表示する形態でもよい。基準点アイコンＣ１と第２位置アイコンとの両方を表示する形態でもよい。
【０１５３】
図１９は、図１８の第２状態から遷移した状態である第３状態を示す。携帯端末装置は、第１状態から第２状態への変化における、基準位置Ｌｒと第２位置ＬＢとの位置関係を把握し、その位置関係に基づいて、スクロールさせるか否か、その方向、速度等を制御する。図１９の第３状態では、２点間の位置関係に対応する方向Ｖ１で、スクロール１９１が行われている。これにより、地図情報１７０１における表示範囲４が方向Ｖ１で移動する。なお、表示画面２内では、スクロール１９１の方向Ｖ１に対する反対方向である方向１９２に画像部分が動く。
【０１５４】
図２０は、第２状態から第３状態への方向Ｖ１のスクロール１９１の際の、地図情報１７０１上における表示範囲４の変化を示す。表示範囲４は、第１状態及び第２状態の表示範囲２００１から、第３状態の表示範囲２００２へ変化している。
【０１５５】
また、ユーザが、タッチ位置を第２位置ＬＢから基準位置Ｌｒの基準点アイコンＣ１に戻すように移動した場合、携帯端末装置は、スクロールを一時停止させる。ユーザが指を離した場合、携帯端末装置は、その時点の表示範囲４の状態でスクロールを終了させ、基準点アイコンＣ１を非表示にし、制御モードを解除して通常モードに戻る。
【０１５６】
［制御フロー］
図２１は、実施の形態３における表示制御部２０４の制御処理のフローを示す。地図や位置検索等のアプリケーションにおいてアプリケーション画面内に地図情報を表示する際の制御処理を示す。モードとして、第１モード、第２モードを有し、管理上の値を０，１とする。図２１はステップS301〜S317を有する。以下、ステップの順に説明する。
【０１５７】
（S301）  表示制御部２０４は、地図情報を読み込む。表示制御部２０４は、最初、モードをモード＝０（第１モード）に設定する。
【０１５８】
（S302）  表示制御部２０４は、表示画面２に、最初、地図情報のうちの所定の位置の一部の範囲を表示する。所定の位置は、例えば、携帯端末装置の現在のＧＰＳ位置座標、あるいは位置検索でユーザが指定した位置等である。
【０１５９】
（S303）  携帯端末装置は、操作部１０６やタッチ押圧センサ１１７を通じて、ユーザによる入力操作を受け付けて、それに対応する入力情報を取得する。表示制御部２０４は、タッチ検出部２０１を通じて、タッチ入力情報を取得する。その際、タッチ検出部２０１は、タッチ有無及びタッチ位置座標（Ｘ１，Ｙ１）を検出する。また、押圧検出部２０２は、押圧の有無及び押圧の強さＰｎを検出する。
【０１６０】
（S304）  表示制御部２０４は、入力情報に基づいて、タッチ有無の判断により、処理を分岐させる。タッチ有りの場合（Ｙ）にはS305、タッチ無しの場合（Ｎ）にはS315へ進む。
【０１６１】
（S305）  表示制御部２０４は、タッチ検出部２０１から、タッチ位置座標（Ｘ１，Ｙ１）を含む情報を取得する。
【０１６２】
（S306）  表示制御部２０４は、押圧検出部２０２から、タッチ位置における押圧の強さＰｎを含む情報を取得する。
【０１６３】
（S307）  表示制御部２０４は、現在のモードを確認し、分岐を行う。モード＝０（第１モード）の場合にはS308、モード＝１（第２モード）の場合にはS312へ進む。
【０１６４】
（S308）  表示制御部２０４は、S306で取得した押圧の強さＰｎを、閾値Ｐｔと比較し、強さＰｎが閾値Ｐｔ以上であるか否かを判断し、分岐を行う。Ｐｎ≧Ｐｔの場合にはS309へ進み、Ｐｎ＜Ｐｔの場合にはS303へ戻る。
【０１６５】
（S309）  表示制御部２０４は、S305で取得したタッチ位置座標（Ｘ１，Ｙ１）を、基準位置Ｌｒ＝（Ｘｒ，Ｙｒ）として設定し、メモリに記憶して保持する。この際のタッチ位置座標（Ｘ１，Ｙ１）は、第１状態の第１位置ＬＡ＝（Ｘａ，Ｙａ）に相当する。
【０１６６】
（S310）  表示制御部２０４は、図１７のように、表示画面２内の基準位置Ｌｒに、基準点アイコンＣ１を表示する。
【０１６７】
（S311）  表示制御部２０４は、モードをモード＝１（第２モード）に設定し、S303へ戻る。S311への流れは、第１押圧操作に応じた制御モードへの移行に相当する。
【０１６８】
（S312）  一方、S307でモード＝１である場合、S312で、表示制御部２０４は、S306で取得した押圧の強さＰｎを用いて、実施の形態２の（２）の式と同様に、下記（３）の式での計算に基づいて、スクロール速度Ｓｎを設定する。
【０１６９】
Ｓｎ＝Ｓ０×Ｐｎ／Ｐｔ      ・・・（３）
（S313）  表示制御部２０４は、S305で取得したタッチ位置座標（Ｘ１，Ｙ１）と、S309で記憶した基準位置Ｌｒ＝（Ｘｒ，Ｙｒ）との位置関係に基づいて、Ｘ方向スクロール速度Ｓｘ及びＹ方向スクロール速度Ｓｙを設定する。この際、表示制御部２０４は、S312で設定したスクロール速度Ｓｎを基準として用いて、以下の式に基づいて、Ｘ方向スクロール速度Ｓｘ及びＹ方向スクロール速度Ｓｙを決定する。この際のタッチ位置座標（Ｘ１，Ｙ１）は、第２状態の第２位置ＬＢ＝（Ｘｂ，Ｙｂ）に相当する。
【０１７０】
実施の形態３では、Ｘ方向及びＹ方向で構成される平面内における任意方向のスクロール、即ち、図１９の第３状態の方向Ｖ１のようなスクロール１９１を、Ｘ方向スクロールとＹ方向スクロールとの分割及び合成により実現する。Ｘ方向スクロール速度Ｓｘは、そのＸ方向スクロール分の速度であり、Ｙ方向スクロール速度Ｓｙは、そのＹ方向スクロール分の速度である。
【０１７１】
表示制御部２０４は、Ｙ１＝Ｙｂ≠Ｙｒである場合には、下記（４）の式に従い、Ｘ方向スクロール速度Ｓｘ及びＹ方向スクロール速度Ｓｙを計算する。
【０１７２】
Ｓｘ＝Ｓｎ×（Ｘｒ−Ｘ１）／（Ｙｒ−Ｙ１），Ｓｙ＝Ｓｎ      ・・・（４）
表示制御部２０４は、Ｙ１＝Ｙｂ＝Ｙｒである場合には、下記（５）の式に従い、Ｘ方向スクロール速度Ｓｘ及びＹ方向スクロール速度Ｓｙを計算する。
【０１７３】
Ｓｘ＝Ｓｎ，Ｓｙ＝０      ・・・（５）
（４）の式では、基準位置Ｌｒと第２位置ＬＢ＝（Ｘｂ，Ｙｂ）＝（Ｘ１，Ｙ１）との間における、Ｘ方向の位置の差分（Ｘｒ−Ｘ１）と、Ｙ方向の位置の差分（Ｙｒ−Ｙ１）とを用いて、それらの比率（Ｘｒ−Ｘ１）／（Ｙｒ−Ｙ１）が計算される。そして、（４）の式では、その比率の大きさに応じて、基準となるスクロール速度Ｓｎに対し増加させるようにして、Ｘ方向スクロール速度Ｓｘが計算される。（４）の式で、例えば、（Ｘｒ−Ｘ１）＝（Ｙｒ−Ｙ１）の場合には、Ｓｘ＝Ｓｎとなり、Ｘ方向スクロール速度ＳｘとＹ方向スクロール速度Ｓｙが同じになる。
【０１７４】
（S314）  表示制御部２０４は、地図情報の表示制御として、S313で設定したスクロール速度｛Ｓｘ，Ｓｙ｝を用いて、Ｘ方向及びＹ方向でスクロールさせるスクロール処理を行い、その後、S303に戻る。S314により、図１９の第３状態のように、表示画面２のＸ方向及びＹ方向の平面内において、基準位置Ｌｒと第２位置ＬＢとの２点間に対応する方向Ｖ１でのスクロール１９１が実現される。これに伴い、図２０のように、地図情報１７０１における表示範囲４が変更される。
【０１７５】
S314への流れは、制御モード中の表示範囲の変更に相当する。S314では、所定時間で所定距離のスクロールが行われ、ループでS314の処理が継続されることにより、長距離のスクロールも実現される。
【０１７６】
（S315）  一方、S304でタッチ無しの場合、S315で、表示制御部２０４は、現在のモードを確認し、分岐を行う。モード＝０の場合にはS303に戻り、モード＝１の場合には、S316へ進む。
【０１７７】
（S316）  表示制御部２０４は、表示画面２内における基準点アイコンＣ１を非表示にする。
【０１７８】
（S317）  表示制御部２０４は、モードをモード＝０（第１モード）に設定し、S303へ戻る。S317への流れは、制御モードの解除に相当する。
【０１７９】
［効果等］
上記のように、実施の形態３の携帯端末装置によれば、実施の形態２と同様に、何回もタッチ操作を繰り返す必要無く、少ない手間で表示範囲の変更が可能である。ユーザは、片手及び一本指の簡単な操作によって所望の方向へスクロールさせることができる。ユーザは、押圧の強さ等に応じてスクロール速度を調整できる。実施の形態３では、平面内で任意方向にスクロール可能であり、ユーザはスクロール方向をより細かく選択できる。
【０１８０】
［変形例（１）］
実施の形態３の変形例として以下が可能である。図２１のステップS313でＸ方向スクロール速度Ｓｘ及びＹ方向スクロール速度Ｓｙを設定する際、以下の式に従って決定してもよい。
【０１８１】
表示制御部２０４は、Ｘ１＝Ｘｂ≠Ｘｒである場合には、下記（６）の式に従い、Ｘ方向スクロール速度Ｓｘ及びＹ方向スクロール速度Ｓｙを計算する。
【０１８２】
Ｓｘ＝Ｓｎ，Ｓｙ＝Ｓｎ×（Ｙｒ−Ｙ１）/（Ｘｒ−Ｘ１）      ・・・（６）
表示制御部２０４は、Ｘ１＝Ｘｂ＝Ｘｒである場合には、下記（７）の式に従い、Ｘ方向スクロール速度Ｓｘ及びＹ方向スクロール速度Ｓｙを計算する。
【０１８３】
Ｓｘ＝０，Ｓｙ＝Ｓｎ      ・・・（７）
なお、（４）、（５）の式は、Ｙ方向の位置を基準とする場合であり、（６）、（７）の式は、Ｘ方向の位置を基準とする場合である。
【０１８４】
図２１のステップS312では押圧の強さＰｎを用いてスクロール速度Ｓｎを決定したが、変形例として、（３）の式を下記（８）の式に代えてもよい。
【０１８５】
Ｓｎ＝Ｓ０×Ｄｎ／Ｄｔ      ・・・（８）
（８）の式では、図１８の２点間の距離Ｄｎを用いている。基準値Ｄｔは、距離Ｄｎに関する所定の基準値を示す。（８）の式では、基準値Ｄｔに対する距離Ｄｎの大きさ（Ｄｎ／Ｄｔ）に応じて、基準スクロール速度Ｓ０に対し増加させるようにして、スクロール速度Ｓｎが決定される。携帯端末装置は、このスクロール速度Ｓｎに基づいて、ステップS313で各方向のスクロール速度｛Ｓｘ，Ｓｙ｝を決定する。
【０１８６】
［変形例（２）］
実施の形態３は、実施の形態２と同様に各種の変形例が可能である。例えば、実施の形態１と同様に、第１押圧操作及び第２押圧操作を用いてモード切り替えを行ってもよい。この変形例では、表示画面２内に対する第１押圧操作により制御モードに入って基準位置Ｌｒを設定して基準点アイコンＣ１を表示し、第２押圧操作により制御モードを解除する。この制御モード中、タッチ有り状態が維持されなくてもよい。ユーザは、第１押圧操作で指を離してから第２位置ＬＢをタッチして所望のスクロール方向等を選択可能である。第２押圧操作としては、特に基準点アイコンＣ１上の第２押圧としてもよい。
【０１８７】
［変形例（３）］
実施の形態３の変形例として、実施の形態２の変形例と同様に、押圧の強さＰｎの情報を、他の制御の変数として使用してもよい。例えば、図２１のステップS312のスクロール速度Ｓｎの設定の際に、一定値、例えば基準スクロール速度Ｓ０としてもよい。あるいは、スクロール速度Ｓｎを、距離Ｄｎの大きさ等に応じて決めてもよい。また、この変形例では、制御モード中、第２位置ＬＢでの押圧の強さＰｎ等を検出し、その強さＰｎを用いてスクロール速度Ｓｎを可変に決定する。携帯端末装置は、その強さＰｎに応じて基準スクロール速度Ｓ０に対し増加させるようにスクロール速度Ｓｎを決定する。即ち、第２位置ＬＢで強く押下するほど、高速のスクロールが実現される。
【０１８８】
また、実施の形態２の変形例と同様に、携帯端末装置は、基準位置Ｌｒでの押圧の強さＰｎを検出し、そのタッチ位置での拡大縮小表示動作を制御してもよい。
【０１８９】
（実施の形態４）
図２２〜図２９を用いて、本発明の実施の形態４の携帯端末装置について説明する。以下、実施の形態４における実施の形態１等とは異なる構成部分について説明する。実施の形態４は、対象情報として、複数のホーム画面や複数のアプリケーション画面の場合を示す。実施の形態４では、表示範囲変更制御として、表示画面２に複数の画面のうちの１つの画面を切り替えて表示する際の画面切り替えを制御する。また、実施の形態４は、実施の形態１の変形例に相当し、表示範囲変更制御で、傾きの角度を用いて、画面切り替えを制御する。
【０１９０】
［ホーム画面］
図２２は、実施の形態４の携帯端末装置の表示画面２に、複数のホーム画面のうちの選択された１つのホーム画面を表示する状態について示す。実施の形態４の携帯端末装置は、特定のタッチ押圧操作に応じて、表示画面２で複数のホーム画面を切り替えて表示する。ホーム画面として、中身が異なる複数のホーム画面を有する。表示画面２内には基本的に１つのホーム画面が表示される。複数のホーム画面のうちの選択された１つのホーム画面が表示範囲４に相当する。１つのホーム画面では、背景上にアイコン９等が配置されている。ユーザがアイコン９を選択操作することにより、対応するアプリケーション画面に遷移する。
【０１９１】
本例では、複数のホーム画面として、ホーム画面Ｈ１〜Ｈ５を有する。ホーム画面Ｈ１〜Ｈ５は、携帯端末装置のＯＳにより、情報として仮想的にレイヤ状の配置で管理されている。即ち、ホーム画面Ｈ１〜Ｈ５は、レイヤＬ１〜Ｌ５として管理されている。例えば、ホーム画面Ｈ１はトップのレイヤＬ１であり、ホーム画面Ｈ５はボトムのレイヤＬ５である。ホーム画面及びレイヤの数は、必要に応じて増減される。なお、ボトムのレイヤはトップのレイヤにループするようにつながっていてもよい。
【０１９２】
ホーム画面Ｈ１〜Ｈ５は、例えばジャンルで分けられている場合を示す。例えば、ホーム画面Ｈ１では、通信関係のアプリケーションに対応する３個のアイコンが配置されており、ホーム画面Ｈ２では、ゲームのアプリケーションに対応するアイコンが配置されている。複数のホーム画面は、ユーザによる設定も可能である。また、１つのホーム画面に複数のアイコンが収まらない場合に自動的に複数のホーム画面に分けられる場合もある。
【０１９３】
［表示制御］
図２３は、実施の形態４の表示制御として、ホーム画面に対するタッチ押圧操作、及び画面切り替えを示す。実施の形態４の携帯端末装置は、第１押圧操作、第２押圧操作、傾ける操作等を受け付けて、表示画面２での複数のホーム画面の画面切り替えを制御する。画面切り替えは、表示画面２での表示範囲４となるホーム画面を所定の時間間隔毎に切り替える表示動作である。なお、図２３では、ユーザは、図示しない左手で筐体１を持ち、右手の一本指で表示画面２を押圧する場合を示す。
【０１９４】
ユーザは、ホーム画面内の箇所を第１押圧操作する。携帯端末装置は、その際の第１押圧を検出すると、通常モードから制御モードに入り、その時の筐体１の傾きの角度θを基準角度θ０として設定する。ユーザは、制御モードの状態で、所望の方向、例えばＹ方向で傾ける操作を行う。携帯端末装置は、その際の角度θｎの差分値（θｎ−θ０）に応じて、画面切り替えの方向等を決定する。携帯端末装置は、例えば、傾きが負方向である場合には第１方向の画面切り替え、正方向である場合には第２方向の画面切り替えに決定する。第１方向は、表示範囲４とするレイヤを下降させるレイヤ下降方向であり、第２方向は、レイヤ上昇方向である。
【０１９５】
また、携帯端末装置は、角度θに応じて、画面切り替えの際の速度に対応する、画面及びレイヤ毎の更新の時間間隔等を決定してもよい。
【０１９６】
表示制御部２０４は、第１方向画面切り替えの場合、複数のホーム画面をレイヤ下降方向で順次に切り替える。即ち、表示画面２に表示範囲４として表示されるホーム画面は、例えばトップのレイヤＬ１からボトムのレイヤＬ５の方向へ順次に切り替えられる。ユーザは、制御モード中、傾きを最初の基準角度θ０の付近の状態に戻すことにより、画面切り替えを一時停止させることができる。また、ユーザは、制御モード中、ホーム画面内のアイコン９をタッチで選択操作することにより、対応処理を実行させることもできる。ユーザは、所望のホーム画面が表示範囲４になった状態で第２押圧操作をする。これにより、携帯端末装置は、画面切り替えを終了させて制御モードを解除して通常モードに戻る。
【０１９７】
［効果等］
上記のように、実施の形態４によれば、何回もタッチ操作を繰り返す必要無く、少ない手間で複数のホーム画面の切り替えが可能である。ユーザは、簡単な操作によって所望の方向へホーム画面を切り替えることができる。ユーザは、押圧の強さや傾きの角度等に応じて画面切り替えの速度を調整できる。
【０１９８】
［変形例（１）］
実施の形態４の変形例として以下が可能である。画面切り替えの際の更新の時間間隔については、例えば下記（９）の式に基づいて決定してもよい。時間間隔をＫｎとする。所定の基準時間間隔をＫ０とする。（９）の式では、押圧の強さＰｎと閾値Ｐｔとの比率（Ｐｔ／Ｐｎ）に応じて、基準時間間隔Ｋ０に対し減少させるように時間間隔Ｋｎが計算される。
【０１９９】
Ｋｎ＝Ｋ０×Ｐｔ／Ｐｎ      ・・・（９）
図２４は、（９）の式に対応する関数２４０１を示す。横軸は強さＰｎ、縦軸は時間間隔Ｋｎを示す。関数２４０１では、強さＰｎが大きくなるほど、次第に緩やかになるように時間間隔Ｋｎが減少するように決定される。即ち、強さＰｎが大きいほど、画面切り替えの際の速度が速くなる。また、関数２４０２のように階段状の関数を適用してもよいし、上限値や下限値を設けてもよい。時間間隔Ｋｎは、実施の形態１と同様に、一定値やユーザ設定値等、各種可能である。
【０２００】
［変形例（２）］
対象情報としては、複数のホーム画面に限らず、複数のアプリケーション画面等にも同様に適用可能である。また、複数の画面としてレイヤ状の配置に限らず、Ｘ方向やＹ方向で並列の配置の場合にも同様に適用可能である。
【０２０１】
図２５は、変形例における表示画面２の表示状態を示す。このように表示画面２内で複数の画面の画像がレイヤ状や並列で配置されて表示される場合がある。この場合に、それらの複数の画面を対象情報として実施の形態４の制御を適用可能である。例えば、通常のホーム画面の状態から、ホームキーｋ２の２回押下により、図２５の左側のようなレイヤ表示状態へ遷移する。本例では、複数のアプリケーション画面Ｇ１〜Ｇ４等のレイヤ状の配置の場合を示す。この状態では、アプリケーション画面Ｇ１がレイヤＬ１として最も手前に来た状態で表示されている。この状態から、第１押圧操作に応じて制御モードに入る。制御モード中、例えばレイヤ下降方向での１画面分の切り替えにより、図２５の右側のレイヤ表示状態に切り替えられる。この状態では、アプリケーション画面Ｇ２がレイヤＬ１として最も手前に来た状態で表示されている。
【０２０２】
図２６は、対象情報としてアプリケーション画面内のコンテンツ履歴情報とする場合を示す。時系列でコンテンツ履歴情報を有し、例えばＷｅｂページの閲覧履歴情報に対応する履歴画面Ｅ１〜Ｅ３等を示す。例えば、最新の履歴画面Ｅ１が表示範囲４となっている。制御モード中、傾きをＹ方向で変える操作等により、履歴画面Ｅ１〜Ｅ３等を、現在から過去、または過去から現在の方向へ切り替えて表示できる。
【０２０３】
図２７は、対象情報としてアプリケーション画面内のコンテンツ、例えば電子書籍を構成する複数のページ情報とする場合を示す。複数のページ情報に対応するページ画面ｐ１〜ｐ３等を示す。例えば、先頭のページ画面ｐ１が表示範囲４となっている。制御モード中、傾きをＸ方向で変える操作等により、ページ画面ｐ１〜ｐ３等を、所望の方向へ切り替えて表示できる。
【０２０４】
［変形例（３）］
画面切り替えは、画面毎に所定の時間間隔で断続的に移動させる表示動作としたが、これに限らず、実施の形態１のスクロールのように連続的に移動させる表示動作としてもよい。また、画面切り替えの際、１画面分の切り替え毎に振動パターンを発生させてもよいし、所定の文字や画像の表示、音声出力等としてもよい。
【０２０５】
実施の形態２の方向選択アイコンの操作や、実施の形態３の２点間の位置関係に応じて、画面切り替えの方向や速度等を決定する形態も同様に可能である。
【０２０６】
更に、表示画面２内を押圧する際のタッチ位置の違いの区別に応じて表示動作の方向や速度等を決定する形態としてもよい。
【０２０７】
図２８は、変形例における表示画面２での操作を示す。図２８では、第１押圧操作として、表示画面２内の上側領域Ｒ１内の押圧の場合には第１方向の表示動作、下側領域Ｒ２内の押圧の場合には第２方向の表示動作に決定する例を示す。線２８０１は、設定上の上側領域Ｒ１と下側領域Ｒ２との境界線を示す。
【０２０８】
更に、表示画面２内を押圧する際のタッチ位置の数の区別に応じて表示動作の方向や速度等を決定してもよい。例えば、第１押圧操作として、表示画面２内の一箇所のタッチの場合には相対的に低速の第１速度、二箇所同時タッチの場合には相対的に高速の第２速度、といったように決定してもよい。
【０２０９】
変形例として、携帯端末装置に複数の押圧センサを備えてもよい。その場合に、それらの押圧センサの使い分けに応じて、表示動作の方向や速度等を決定してもよい。
【０２１０】
図２９は、変形例の携帯端末装置を示し、筐体１の前面の表示画面２に対応して配置されているタッチ押圧センサ１１７と、筐体１の背面の所定箇所に配置されている押圧センサ１１８とを有する。この携帯端末装置は、例えば、前面のタッチ押圧センサ１１７に対する第１押圧の場合には第１方向表示動作、背面の押圧センサ１１８に対する第１押圧の場合には第２方向表示動作、といったように決定する。
【０２１１】
（実施の形態５）
図３０を用いて、本発明の実施の形態５の携帯端末装置について説明する。以下、実施の形態５における実施の形態１等とは異なる構成部分について説明する。実施の形態５は、対象情報として、表示画面２内に表示される複数のアイコンの場合を示す。実施の形態５では、表示範囲変更制御として、表示画面２内に複数のアイコンを配置して表示する際の表示動作を制御する。また、実施の形態５は、実施の形態１の変形例に相当し、表示範囲変更制御で、傾きの角度を用いて、表示動作を制御する。
【０２１２】
［制御概要及びアイコン配置］
図３０は、実施の形態５における表示制御として、ホーム画面内の複数のアイコンの配置の表示例や操作等を示す。図３０では、ユーザが筐体１を左手で持った状態で、その親指により操作する場合を示す。
【０２１３】
図３０の（ａ）は第１配置状態を示す。表示画面２でホーム画面を表示する領域内に、複数のアイコン９が、Ｘ方向及びＹ方向に並列で行列状に配置されている。本例では、８個のアプリケーションに対応付けられた８個のアイコン９が、下辺付近の領域に配置されている。８個のアイコン９を、識別のため、「App1」〜「App8」で示す。
【０２１４】
図３０の（ｂ）は第２配置状態を示す。第２配置状態では、複数のアイコン９が、円形、リング状に配置され、かつ、そのリングにおいて複数のアイコン９が円周上を回転するように移動する。アイコン９群は、所定の時間間隔毎に断続的に移動する。表示画面２内の所定の位置を中心点Ｑ０としてリングが配置される。
【０２１５】
第１配置状態で、ユーザは、表示画面２内の箇所を所定の大きさ以上で押圧して指を離す第１押圧操作をする。その押圧の位置は、表示画面２内の任意位置とする。なお、その押圧の位置は、特にアイコン９上の位置としてもよいし、アイコン９以外の領域の位置としてもよい。携帯端末装置は、第１押圧操作に応じて制御モードに入り、筐体１の傾きの角度を基準角度θ０として設定する。携帯端末装置は、複数のアイコン９の配置を第１配置状態から第２配置状態へ変更する。
【０２１６】
携帯端末装置は、制御モードにおける第２配置状態で、リングの複数のアイコン９を所定の方向、例えば右回りで回転するように移動させる。また、携帯端末装置は、第１押圧操作の第１押圧の強さＰｎに応じて、アイコン９の移動の初期速度を決定してもよい。
【０２１７】
また、携帯端末装置は、第２配置状態における傾ける操作の角度θｎに応じて、アイコン９の移動の方向や速度を可変に制御する。例えば、正方向の傾きの場合には右回り、負方向の傾きの場合には左回りにし、絶対値｜θｎ−θ０｜に応じて速度を決める。
【０２１８】
また、ユーザが傾きの角度θｎを基準角度θ０の付近に戻した場合、携帯端末装置は、アイコン９の移動を一時停止させる。また、携帯端末装置は、ユーザがリングの中心をタッチした場合等に一時停止させてもよい。また、ユーザが所望のアイコン９をタッチで選択操作した場合、携帯端末装置は、そのアイコン９に対応付けられているアプリケーションの処理を実行して、制御モードを解除する。
【０２１９】
第２配置状態で、ユーザは、表示画面２内の箇所、例えばリングの中心または外の領域を、所定の大きさ以上で押圧して指を離す第２押圧操作をする。携帯端末装置は、その第２押圧操作に応じて制御モードを解除し、第２配置状態から第１配置状態へ戻す。
【０２２０】
なお、中心点Ｑ０の位置は、ユーザ設定値としてもよいし、第１押圧操作の際のタッチ位置座標の付近の位置としてもよい。携帯端末装置は、第２配置状態で、アイコン９の数に応じて、リングやアイコン９の大きさ、表示画面２内にリングのうちの一部を表示する等、調整してもよい。
【０２２１】
［効果等］
上記のように、実施の形態５によれば、少ない手間で画面内の所望のアイコン９を選択する操作が実現できる。ユーザは、片手や一本指で操作する場合に、表示画面２内の第１配置状態で所望のアイコン９に指が届かない場合や、所望のアイコン９がみつからない場合、第１押圧操作に応じて第２配置状態に変更する。ユーザは、第２配置状態でアイコン９群を回転させ、所望のアイコン９が指のタッチ位置に来た時に指を離す。あるいは、アイコン９の回転を一時停止させてから、所望のアイコン９をタッチ操作する。これにより、所望のアイコン９を選択操作してアプリケーション画面に遷移させることができる。
【０２２２】
従来では、ユーザは、所望のアイコンに指が届かない場合、持ち手の状態を変える、別の手の指で押す、等の手間が必要となる。実施の形態５では、そのような手間が不要となり、片手及び一本指で容易に素早くアイコンを選択可能である。また、ユーザは、押圧の強さや傾きの角度等に応じてアイコンの回転の方向や速度を調整でき、所望のアイコンを素早く選択できる。
【０２２３】
（他の実施の形態）
前述の実施の形態では、表示範囲変更制御の対象として、コンテンツ、ホーム画面、アプリケーション画面、アイコン等の場合を説明した。また、変更制御の表示動作として、スクロール、画面切り替え、アイコン移動等を説明した。これらは、前述の実施の形態での組み合わせに限らず、各種の組み合わせの形態が勿論可能である。
【０２２４】
以上、本発明を実施の形態に基づき具体的に説明したが、本発明は前記実施の形態に限定されず、その要旨を逸脱しない範囲で種々変更可能である。本発明の機能等は、一部または全部が、集積回路等のハードウェアで実現されてもよいし、ソフトウェアプログラム処理で実現されてもよい。
【符号の説明】
【０２２５】
１…筐体、２…表示画面、３…表示情報、４…表示範囲、５，６…スクロール。
【図１】
0006691426.tif 000002
【図２】
0006691426.tif 000003
【図３】
0006691426.tif 000004
【図４】
0006691426.tif 000005
【図５】
0006691426.tif 000006
【図６】
0006691426.tif 000007
【図７】
0006691426.tif 000008
【図８】
0006691426.tif 000009
【図９】
0006691426.tif 000010
【図１０】
0006691426.tif 000011
【図１１】
0006691426.tif 000012
【図１２】
0006691426.tif 000013
【図１３】
0006691426.tif 000014
【図１４】
0006691426.tif 000015
【図１５】
0006691426.tif 000016
【図１６】
0006691426.tif 000017
【図１７】
0006691426.tif 000018
【図１８】
0006691426.tif 000019
【図１９】
0006691426.tif 000020
【図２０】
0006691426.tif 000021
【図２１】
0006691426.tif 000022
【図２２】
0006691426.tif 000023
【図２３】
0006691426.tif 000024
【図２４】
0006691426.tif 000025
【図２５】
0006691426.tif 000026
【図２６】
0006691426.tif 000027
【図２７】
0006691426.tif 000028
【図２８】
0006691426.tif 000029
【図２９】
0006691426.tif 000030
【図３０】
0006691426.tif 000031